(57)【要約】  波エネルギーを変換するための流体圧装置（２００）が開示されている。装置（２００）は、作動流体を装置（２００）の閉ループ流体圧回路を循環するように汲み出すためのポンプ（２００）を備えている。出口逆止弁（２１５）および入口逆止弁（２２１）を用いて、回路を循環する流体の流れの方向が調節されるようになっている。装置（２００）は、アキュムレータ（２１２，２１４，２２２，２２３，２２６）および圧力逃し弁（２２４，２２５）も備えている。
2013510980.tif 000002
【特許請求の範囲】
【請求項１】
波エネルギーを変換するための流体圧装置。
【請求項２】
閉ループ流体圧装置である、ことを特徴とする請求項１に記載の流体圧装置。
【請求項３】
請求項１に記載の流体圧装置を制御するための方法。
【請求項４】
請求項１に記載の流体圧装置を制御するための最適フィルターを得るための方法。
【請求項５】
流体圧装置であって、流体を前記装置内に汲み出すためのポンプと、前記流体の流れを制御するための制御要素とを備えている、ことを特徴とする流体圧装置。
【請求項６】
波エネルギー装置を制御し、最適化するためのシステムにおいて、流体圧動力を取り出す波エネルギーコンバータを利用する波エネルギーコンバータであって、前記コンバータは、閉ループモードで運転されるようになっており、前記閉ループは、高圧の装置出口ラインおよびかなり低圧の入口流体ラインを備えており、前記閉ループ内を循環する前記流体は、実質的に水性であり、前記流体は、エネルギーを陸上に伝達するものであり、前記流体は、圧力および流量を介してエネルギーを移送するものである、波エネルギーコンバータと、陸上において、タービンまたは圧力交換用エンジンのような流体圧機械装置を介して、前記作動流体からエネルギーを取り出す手段と、を備えている、ことを特徴とするシステム。
【請求項７】
前記システムは、陸上および沖合の両方に制御要素を備えている、ことを特徴とする請求項６に記載のシステム。
【請求項８】
前記制御要素は、陸上側の前記出口ラインおよび前記入口ラインにおける圧力および流量を調整する弁と、前記入口ラインと前記出口ラインとの間に配置された沖合側圧力逃し弁と、沖合に配置された流体圧アキュムレータと、陸上に配置された流体圧アキュムレータであって、一方が前記出口ラインに接続されており、他方が前記入口ラインに接続されている、流体圧アキュムレータと、陸上側の前記入口ラインと前記出口ラインとの間に配置された圧力逃し弁と、を備えている、ことを特徴とする請求項６または７のいずれか１つに記載のシステム。
【請求項９】
前記複数の流体圧弁および前記アキュムレータ内のガス圧充填を制御するために、制御アルゴリズムが用いられている、ことを特徴とする請求項６〜８のいずれか１つに記載のシステム。
【請求項１０】
請求項４，６〜９のいずれか１つに記載のシステム用の制御アルゴリズム。
【請求項１１】
前記アルゴリズムは、以下の機能の１つまたは複数を行うことができ、または以下の特性の１つまたは複数を有している、ことを特徴とする請求項１０に記載の制御アルゴリズム：
ａ．アキュムレータの容積変化（弁の開閉）によって、拘束ピストン端と非拘束ピストン端との間（これら端を含む）におけるＣＥＴＯＷＥＣの機械的剛性を調整すること（「拘束ピストン」は、作動流体が、調整アキュムレータによって許容される程度まで、流体圧回路の内側で移動が拘束されることによって、ピストンの運動が最小限に抑えられている状態を指しており、「非拘束ピストン」は、入口回路と出口回路との間で流体が自在に流れ、ピストンがその自重および加えられる外力の影響によって自在に運動することができる状態を指している）、
ｂ．ＣＥＴＯの場合、潮流によって生じるような水深の緩慢な変動に適応するように、ポンプのピストンの基準位置を調整すること、
ｃ．近接波測定装置によるリアルタイム入力値に従って、ＷＥＣ装置の制御要素を調整すること（このような装置は、海面状態を定める瞬間的な波高（Ｈ）、瞬間的な波周期（Ｔ）、瞬間的な波拡散（θ）、および任意の他の関連パラメータを記録し、このデータをリアルタイムでアルゴリズムにもたらすようになっているとよい）、
ｄ．ｃ）において、動力Ｐが瞬間的な最大値になるように、設定値を調整すること、
ｅ．ｃ）において、動力Ｐが瞬間的な最小値になるように、設定値を調整すること（もし保守または検査が行われている場合、このような条件が望ましい）、
ｆ．ｃ）において、Ｐが確率ｐｍで最小値Ｐｍを超えるように、設定値を調整すること、
ｇ．事前設定テンプレートＦを適用し、時間間隔τにおいてＷＥＣによって送達される全動力を最大にするように、制御要素３）の値を規制すること、
ｈ．時間間隔τは、観測上の基準時点τεの秒から分、時間の範囲内における変数とされること（例えば、標準的な沖合の実行時間は、連続的な不規則海面状態の場合、２０分であり、激しい海面状態の場合、３時間である）、
ｉ．各基準時点τεは、アルゴリズムＡの設定操作点およびアルゴリズムＡによって行われる制御の範囲を定める特有テンプレートＦεに関連付けられていること、
ｊ．制御アルゴリズムＡは、ｉ）の一連のテンプレートＦεを含んでいること（各テンプレートは、協働して、任意の観測時点における最短時間と最長時間との間の最適エネルギー出力Ｅｍａｘをもたらすことになり、すなわち、アルゴリズムＡは、常に、最大積分エネルギーＥｍａｘをもたらすように調整されるようになっている）、 
【数１】
2013510980.tif 000006
ｋ．特定のアルゴリズムＡは、以下の条件の１つまたは複数に特有の成分を含むアルゴリズムの集合Ａｉから導かれるようになっていること、
ａ．特定の地理学的箇所；
ｂ．特定の水深および海底地形；
ｃ．特定類別の波活動、例えば、強力な波活動、沖合の波活動、穏やかな波活動、沿岸の波活動、またはこれらの組合せ；
ｄ．特定の季節、例えば、冬、夏；
ｅ．ＷＥＣの特定の構成；
ｆ．同時係属中のＣＥＴＯ特許出願に記載されているようなエネルギー緩和機構を含むＷＥＣの特定の物理的構成；
ｇ．ＷＥＣの老朽化、状態、運転歴に対応するＷＥＣの特定の物理的状態；
ｈ．ＷＥＣの構成における任意の他の変更；
ｉ．年間の支配的な海面状態（例えば、西オーストラリアの湾岸から離れたガーデン島の現場は、６〜８つの支配的な海面状態を有している）；および
ｊ．特定の安全／緊急条件。
【請求項１２】
請求項６〜１０のいずれか１つに記載の閉ループシステムをなす、入口配管および出口配管の共通組に一緒に並列に接続されたＷＥＣのアレイを備えているシステム。
【請求項１３】
前記アルゴリズムＡの最適化が、波拡散にも影響されるようになっている（アルゴリズムＡｉおよびテンプレートＦεは、単一ＷＥＣのものとは実質的に異なっており、多重ユニットの場合、そのアルゴリズムが単一ユニットのアルゴリズムと大きく異なっている点は、ユニット間の流体圧的相互作用である）、ことを特徴とする請求項１２に記載のシステム。
【請求項１４】
前記アルゴリズムＡｉは、最適フィルター手法によって作成されるようになっている、ことを特徴とする請求項６〜１３のいずれか１つに記載のシステム。
【請求項１５】
チャンバを画定する本体および前記チャンバを作用側と止まり側に仕切るピストンを備えている流体圧ポンプと、
前記チャンバの前記止まり側に接続された止まり側流体圧アキュムレータと、
を備えている流体圧装置。
【請求項１６】
チャンバを画定する本体およびチャンバを作用側と止まり側とに仕切るピストンを備えている流体圧ポンプと、
前記チャンバの前記作用側に接続された作用側流体圧アキュムレータと、
を備えている流体圧装置。
【請求項１７】
流体圧装置であって、流体を前記装置内に循環させるための流体圧ポンプと、前記装置を制御するための流体圧制御装置とを備えている、ことを特徴とする流体圧装置。
【請求項１８】
図面を参照して本明細書に実質的に記載されている流体圧装置。
【発明の詳細な説明】
【技術分野】
【０００１】
本件は、流体圧装置に関する。
【０００２】
本発明は、波運動からエネルギーを抽出するための流体圧装置を特に参照して、記載されることになるが、他の流体圧装置にも適用可能であることを理解されたい。
【背景技術】
【０００３】
波運動からエネルギーを抽出するための流体圧装置は、周知である。このような装置の例は、ＣＥＴＯ技術に対する特許文献１，２に開示されている。これらの文献は、参照することによって、ここに含まれるものとする。
【０００４】
波運動からエネルギーを抽出するための先行技術による流体圧装置は、水域の海床に配置された基部を備えている。軸流流体圧ポンプが、基部に対して枢動することができるように、基部に取り付けられている。ポンプのピストンロッドが、繋ぎ紐によって浮力アクチュエータに連結されている。波運動および浮力アクチュエータの正浮力によって、浮力アクチュエータは、水擾乱の運動に追従し、これによって、上方に押し上げられ、繋ぎ紐に力を加え、流体を加圧によってポンプから一方向弁を介してマニホールドに排出させることになる。波底の通過中、浮力アクチュエータは、ポンプピストンの重量およびポンプ吸入圧からの力によって下降し、浮力アクチュエータの次の上方突上げの準備が整っているポンプに呼び水を差すことになる。
【０００５】
装置は、閉ループモードで運転されるように設計されている。このモードでは、高圧の流体が流体圧ポンプによって陸上に汲み上げられ、エネルギーが有用な仕事として抽出され、減圧した流体が、配管を介して沖合の流体圧ポンプに戻され、再加圧されるようになっている。
【０００６】
代替的な先行技術による流体圧装置は、流体圧ポンプのアレイと、各ポンプのピストンロッドに繋がれた浮力アクチュエータのアレイとを備えている以外は、前述した先行技術の装置と同様である。
【０００７】
前述したような先行技術による装置は、典型的には、特定の場所において、該場所に関連する特定の条件下、例えば、該場所に関連する波浪状態および潮の変動の影響下で運転するように特に適合されている必要がある。これは、通常、特定場所に用いられるように特に設計された標準的でないハードウエアを作製し、このハードウエアを該場所に適する特定の方法によって運転するように構成することを含んでいる。
【０００８】
このような標準的でないハードウエアを設計し、作製する必要性は、低コストで大量生産を達成する製造プロセスを合理化することが困難であることを意味している。
【０００９】
本発明が開発されたのは、この背景技術およびその関連する問題および難題に対してである。
【先行技術文献】
【特許文献】
【００１０】
【特許文献１】国際特許出願第ＰＣＴ／ＡＵ２００６／００１１８７号パンフレット
【特許文献２】国際特許出願第ＰＣＴ／ＡＵ２００７／００１６８５号パンフレット
【発明の概要】
【発明が解決しようとする課題】
【００１１】
本発明の目的は、前述した先行技術の欠点の１つまたは複数を解消するかまたは少なくとも改良し、またはユーザに有用な、または経済的な選択肢をもたらすことにある。
【００１２】
本発明の他の目的および利点は、本発明の好ましい実施形態が例示として開示されている添付の図面と関連させて、以下の説明を読むことによって、明らかになるだろう。
【課題を解決するための手段】
【００１３】
本発明の第１の広い態様によれば、波エネルギーを変換するための流体圧装置が提供されている。
【００１４】
好ましくは、装置は、閉ループ流体圧装置である。
【００１５】
本発明の第２の広い態様によれば、本発明の第１の広い態様による流体圧装置を制御するための方法が提供されている。
【００１６】
本発明の第３の広い態様によれば、本発明の第１の広い態様による流体圧装置を制御するための最適フィルターを得るための方法が提供されている。
【００１７】
本発明の第４の広い態様によれば、流体を装置内に汲み出すためのポンプと、流体の流れを制御するための制御要素とを備えている流体圧装置が提供されている。
【００１８】
本発明の第５の広い態様によれば、本発明の第１の広い態様による流体圧装置を制御する方法において、
作動流体を装置内に汲み出すように、装置のポンプを操作するステップと、
流体の流れを制御するように、制御要素を制御するステップと、
を含んでいる、方法が提供されている。
【００１９】
好ましくは、ポンプは、軸流流体圧ポンプである。
【００２０】
好ましくは、制御要素は、出口弁、入口弁、アキュムレータ、および／または圧力逃し弁である。
【００２１】
好ましくは、装置は、出口逆止弁も備えている。
【００２２】
好ましくは、装置は、入口逆止弁を備えている。
【００２３】
好ましくは、装置は、ロッド側／調整側／作用側アキュムレータも備えている。
【００２４】
好ましくは、装置は、止まり側アキュムレータも備えている。
【００２５】
好ましくは、装置は、出口アキュムレータも備えている。
【００２６】
好ましくは、装置は、入口アキュムレータも備えている。
【００２７】
好ましくは、装置は、センサも備えている。
【００２８】
好ましくは、装置は、制御装置も備えている。
【００２９】
好ましくは、装置は、閉ループ流体圧装置である。
【００３０】
好ましくは、流体圧装置は、波運動からエネルギーを抽出し／波エネルギーを変換するためのものである。
【００３１】
本発明の第６の広い態様によれば、波エネルギー装置を制御し、最適化するためのシステムにおいて、流体圧動力を取り出す波エネルギーコンバータを利用する波エネルギー装置であって、コンバータは、閉ループモードで操作されるようになっており、閉ループは、高圧の装置出口ラインおよびかなり低圧の入口流体ラインを備えており、閉ループ内を循環する流体は、実質的に水性であり、流体は、エネルギーを陸上に伝達するものであり、流体は、圧力および流量を介してエネルギーを移送するものである、波エネルギー装置と、陸上において、タービンまたは圧力交換用エンジンのような流体圧機械装置を介して、作動流体からエネルギーを取り出す手段と、備えているシステムが設けられている。
【００３２】
好ましくは、システムは、陸上および沖合の両方に配置された制御要素を備えている。
【００３３】
好ましくは、制御要素は、陸上側の出口ラインおよび入口ラインにおける圧力および流量を調整する弁と、入口ラインと出口ラインとの間に配置された沖合側圧力逃し弁と、沖合に配置された流体圧アキュムレータと、陸上に配置された流体圧アキュムレータであって、一方が出口ラインに接続されており、他方が入口ラインに接続されている、流体圧アキュムレータと、陸上側の入口ラインと出口ラインとの間に配置された圧力逃し弁と、を備えている。
【００３４】
好ましくは、複数の流体圧弁およびアキュムレータ内のガス圧充填を制御するために、制御アルゴリズムが用いられるようになっている。
【００３５】
本発明の第７の広い態様によれば、本発明の第４の広い態様によるシステム用の制御アルゴリズムが提供されている。好ましくは、制御アルゴリズムは、以下の機能の１つまたは複数を行うことができ、または以下の特性の１つまたは複数を有している。
【００３６】
ａ．アキュムレータの容積変動（弁の開閉）によって、拘束ピストン端と非拘束ピストン端との間（これら端を含む）におけるＣＥＴＯＴＭ波エネルギーコンバータ（ＷＥＣ）の機械的剛性を調整すること。「拘束ピストン」は、作動流体が、調整アキュムレータによって許容される程度まで、流体圧回路の内側で移動が拘束されることによって、ピストンの運動が最小限に抑えられている状態を指しており、「非拘束ピストン」は、入口回路と出口回路との間で流体が自在に流れ、ピストンがその自重および加えられる外力の影響によって自在に運動することができる状態を指している。
【００３７】
ｂ．ＣＥＴＯの場合、潮流によって生じるような水深の緩慢な変動に適応するように、ポンプのピストンの基準位置を調整すること。
【００３８】
ｃ．近接波測定装置からのリアルタイム入力値に従って、ＷＥＣ装置の制御要素を調整すること。このような装置は、海面状態を定める瞬間的な波高さ（Ｈ）、瞬間的な波周期（Ｔ）、瞬間的な波拡散（θ）、および任意の他の関連パラメータを記録し、このデータをリアルタイムでアルゴリズムにもたらすようになっているとよい。
【００３９】
ｄ．ｃ）において、動力Ｐが瞬間的な最大値になるように、設定値を調整すること。
【００４０】
ｅ．ｃ）において、動力Ｐが瞬間的な最小値になるように、設定値を調整すること。もし保守または検査が行われている場合、このような条件が望ましい。
【００４１】
ｆ．ｃ）において、Ｐが確率ｐｍで最小値Ｐｍを超えるように、設定値を調整すること。
【００４２】
ｇ．事前設定テンプレートＦを適用し、時間間隔τにおいてＷＥＣによって送達される全動力を最大にするように、制御要素）の値を規制すること。
【００４３】
ｈ．時間間隔τは、観測上の基準時点τεの秒から分、時間の範囲内における変数であるとよい。例えば、標準的な沖合の実行時間は、連続的な不規則海面状態の場合、２０分であり、激しい海面状態の場合、３時間である、
【００４４】
ｉ．各観測時点τεは、アルゴリズムＡの設定操作点およびアルゴリズムＡによって行われる制御の範囲を定める特有テンプレートＦεに関連付けられている。
【００４５】
ｊ．制御アルゴリズムＡは、ｉ）の一連のテンプレートＦεを含んでいるとよい。各テンプレートは、協働して、観測時点における最短時間と最長時間との間における最適エネルギー出力Ｅｍａｘをもたらすことになる。すなわち、アルゴリズムＡは、常に、最大積分エネルギーＥｍａｘをもたらすように調整されるようになっている。
【数１】
2013510980.tif 000003
【００４６】
ｋ．特定のアルゴリズムＡは、以下の条件の１つまたは複数に特有である成分を含むアルゴリズムの集合Ａｉから導かれるようになっているとよい。
ｉ．特定の幾何学的な場所；
ｉｉ．特定の水深および海底地形；
ｉｉｉ．特定類別の波活動、例えば、強力な波活動、沖合の波活動、穏やかな波活動、沿岸の波活動、またはこれらの組合せ；
ｉｖ．特定の季節、例えば、冬、夏；
ｖ．ＷＥＣの特定の構成；
ｖｉ．同時係属中のＣＥＴＯＴＭ特許出願に記載されているようなエネルギー緩和機構を含むＷＥＣの特定の物理的構成；
ｖｉｉ．ＷＥＣの老朽化、状態、運転歴に対応するＷＥＣの特定の物理的状態；
ｖｉｉｉ．ＷＥＣの構成における任意の他の変動；
ｉｘ．年間の支配的な海面状態（例えば、西オーストラリアの湾岸から離れたガーデン島の現場は、６〜８つの支配的な海面状態を有している）；および
ｘ．特定の安全／緊急条件。
【００４７】
本発明の第８の広い態様によれば、本発明の第６，７の態様のいずれか１つに記載の閉ループシステムをなす、入口配管および出口配管の共通の組に一緒に並列に接続されたＷＥＣのアレイを備えているシステムが提供されている。
【００４８】
本発明の第９の広い態様によれば、アルゴリズムＡの最適化が、波拡散にも影響されるようになっている、本発明の第８の広い態様に記載のシステムが提供されている。アルゴリズムＡｉおよびテンプレートＦεは、単一ＷＥＣのものとは実質的に異なっている。多重ユニットのアルゴリズムが単一ユニットのアルゴリズムと大きく異なっている点は、ユニット間の流体圧的相互作用であることに留意されたい。
【００４９】
本発明の第１０の広い態様によれば、アルゴリズムＡｉが最適フィルター方式によって作成されるようになっている、本発明の第６〜９の広い態様のいずれか１つに記載のシステムが提供されている。
【００５０】
本発明の第１１の広い態様によれば、
チャンバを画定する本体およびチャンバを作用側と止まり側に仕切るピストンを備えている流体圧ポンプと、
チャンバの止まり側に接続された止まり側流体圧アキュムレータと、
を備える流体圧装置が提供されている。
【００５１】
好ましくは、止まり側流体圧アキュムレータは、チャンバの止まり側に並列に接続されている。代替的に、止まり側流体圧アキュムレータは、チャンバの止まり側に直列に接続されている。好ましくは、装置は、止まり側流体圧アキュムレータとチャンバの止まり側とを備える閉鎖された止まり側流体圧回路も備えている。
【００５２】
好ましくは、装置は、止まり側流体圧アキュムレータとチャンバの止まり側との間に流れることができる流体も含んでいる。好ましくは、流体は、高潤滑流体である。好ましくは、流体は、低粘度流体である。
【００５３】
好ましくは、装置は、ピストンに固定された止まり側機械的緩衝装置も備えている。好ましくは、止まり側機械的緩衝装置は、弾性的緩衝装置である。代替的に、止まり側機械的緩衝装置は、バネである。
【００５４】
好ましくは、装置は、ピストンに固定された作用側機械的緩衝装置も備えている。好ましくは、作用側機械的緩衝装置は、弾性的緩衝装置である。代替的に、作用側機械的緩衝装置は、バネである。
【００５５】
好ましくは、装置は、チャンバの作用側に接続された作用側流体圧アキュムレータも備えている。好ましくは、作用側流体圧アキュムレータは、チャンバの作用側に並列に接続されている。代替的に、作用側流体圧アキュムレータは、チャンバの作用側に直列に接続されている。
【００５６】
好ましくは、装置は、チャンバの作用側に接続された出口逆止弁および出口逆止弁に並列に接続された入口逆止弁も備えている。いくつかの実施形態では、入口逆止弁は、チャンバの止まり側に接続されている。好ましくは、装置は、出口逆止弁に並列に接続された出口流体圧アキュムレータも備えている。好ましくは、装置は、入口逆止弁に並列に接続された入口流体圧アキュムレータも備えている。
【００５７】
好ましくは、装置は、流体圧インターフェースユニットも備えており、該流体圧インターフェースユニットは、出口逆止弁、入口逆止弁、出口流体圧アキュムレータ、および入口流体圧アキュムレータを備えている。好ましくは、流体圧インターフェースユニットは、止まり側流体圧アキュムレータも備えている。好ましくは、流体圧インターフェースユニットは、作用側流体圧アキュムレータも備えている。好ましくは、流体圧インターフェースユニットは、圧力逃し弁も備えている。
【００５８】
好ましくは、装置は、出口逆止弁および入口逆止弁のそれぞれに接続された流体圧制御装置も備えている。好ましくは、流体圧制御装置は、圧力逃し弁を備えている。好ましくは、装置は、流体圧制御装置を出口逆止弁に接続する高圧パイプラインと、流体圧制御装置を入口逆止弁に接続する低圧パイプラインとを備えている。好ましくは、装置は、流体圧制御装置に接続された流体圧負荷も備えている。
【００５９】
好ましくは、装置は、閉ループ流体圧装置である。
【００６０】
好ましくは、装置は、波運動からエネルギーを抽出し／波エネルギーを変換するためのものである。特定の好ましい形態では、装置は、ピストンに縛られた浮力アクチュエータも備えている。
【００６１】
本発明の第１２の広い態様によれば、
チャンバを画定する本体およびチャンバを作用側と止まり側とに仕切るピストンを備える流体圧ポンプと、
チャンバの作用側に接続された作用側流体圧アキュムレータと、
を備える流体圧装置が提供されている。
【００６２】
好ましくは、作用側流体圧アキュムレータは、チャンバの作用側に並列に接続されている。代替的に、作用側流体圧アキュムレータは、チャンバの作用側に直列に接続されている。
【００６３】
好ましくは、装置は、ピストンに固定された作用側機械的緩衝装置も備えている。好ましくは、作用側機械的緩衝装置は、弾性的緩衝装置である。代替的に、作用側機械的緩衝装置は、バネである。
【００６４】
好ましくは、装置は、ピストンに固定された止まり側機械的緩衝装置も備えている。好ましくは、止まり側機械的緩衝装置は、弾性的緩衝装置である。代替的に、止まり側機械的緩衝装置は、バネである。
【００６５】
好ましくは、装置は、止まり側流体圧アキュムレータも備えている。好ましくは、止まり側流体圧アキュムレータは、チャンバの止まり側に並列に接続されている、代替的に、止まり側流体圧アキュムレータは、チャンバの止まり側に直列に接続されている。好ましくは、装置は、止まり側流体圧アキュムレータとチャンバの止まり側とを備える閉鎖された止まり側流体圧回路も備えている。
【００６６】
好ましくは、装置は、止まり側流体圧アキュムレータとチャンバの止まり側との間を流れることができる流体も含んでいる。好ましくは、流体は、高潤滑流体である。好ましくは、流体は、低粘度流体である。
【００６７】
好ましくは、装置は、チャンバの作用側に接続された出口逆止弁および出口逆止弁に並列に接続された入口逆止弁も備えている。いくつかの実施形態では、入口逆止弁は、チャンバの止まり側に接続されているとよい。好ましくは、装置は、出口逆止弁に並列に接続された出口流体圧アキュムレータも備えている。好ましくは、装置は、入口逆止弁に接続された入口流体圧アキュムレータも備えている。
【００６８】
好ましくは、装置は、流体圧インターフェースユニットも備えており、該流体圧インターフェースユニットは、出口逆止弁、入口逆止弁、出口流体圧アキュムレータ、および入口流体圧アキュムレータを備えている。好ましくは、流体圧インターフェースユニットは、止まり側流体圧アキュムレータも備えている。好ましくは、流体圧インターフェースユニットは、作用側流体圧アキュムレータも備えている。好ましくは、流体圧インターフェースユニットは、圧力逃し弁も備えている。
【００６９】
好ましくは、装置は、出口逆止弁および入口逆止弁のそれぞれに接続された流体圧制御装置も備えている。好ましくは、流体圧制御装置は、圧力逃し弁を備えている。好ましくは、装置は、流体圧制御装置を出口逆止弁に接続する高圧パイプラインおよび流体圧制御装置を入口逆止弁に接続する低圧パイプラインも備えている。好ましくは、装置は、流体圧制御装置に接続された流体圧負荷も備えている。
【００７０】
好ましくは、装置は、閉ループ流体圧装置である。
【００７１】
好ましくは、装置は、波運動からエネルギーを抽出し／波エネルギーを変換するためのものである。特定の好ましい形態では、装置は、ピストンに縛られた浮力アクチュエータも備えている。
【００７２】
本発明の第１３の広い態様によれば、流体を装置内に循環させるための流体圧ポンプと装置を制御するための流体圧制御装置とを備える流体圧装置が提供されている。
【００７３】
好ましくは、流体圧ポンプは、チャンバを画定する本体およびチャンバを作用側と止まり側とに仕切るピストンを備えている。
【００７４】
好ましくは、装置は、チャンバの止まり側に接続された止まり側流体圧アキュムレータを備えている。好ましくは、止まり側流体圧アキュムレータは、チャンバの止まり側に並列に接続されている。代替的に、止まり側流体圧アキュムレータは、チャンバの止まり側に直列に接続されている。好ましくは、装置は、止まり側流体圧アキュムレータとチャンバの止まり側とを備える閉鎖された止まり側流体圧回路も備えている。
【００７５】
好ましくは、装置は、止まり側流体圧アキュムレータとチャンバの止まり側との間に流れることができる流体も備えている。好ましくは、流体は、高潤滑流体である。好ましくは、流体は、低粘度流体である。
【００７６】
好ましくは、装置は、ピストンに固定された止まり側機械的緩衝装置も備えている。好ましくは、止まり側機械的緩衝装置は、弾性的緩衝装置である。代替的に、止まり側機械的緩衝装置は、バネである。
【００７７】
好ましくは、装置は、ピストンに固定された作用側機械的緩衝装置も備えている。好ましくは、作用側機械的緩衝装置は、弾性的緩衝装置である。代替的に、作用側機械的緩衝装置は、バネである。
【００７８】
好ましくは、装置は、チャンバの作用側に接続された作用側流体圧アキュムレータも備えている。好ましくは、作用側流体圧アキュムレータは、チャンバの作用側に並列に接続されている。代替的に、作用側流体圧アキュムレータは、チャンバの作用側に直列に接続されている。
【００７９】
好ましくは、装置は、チャンバの作用側に接続された出口逆止弁および出口逆止弁に並列に接続された入口逆止弁も備えている。いくつかの実施形態では、入口逆止弁は、チャンバの止まり側に接続されているとよい。好ましくは、装置は、出口逆止弁に並列に接続された出口流体圧アキュムレータも備えている。好ましくは、装置は、入口逆止弁に並列に接続された入口流体圧アキュムレータも備えている。
【００８０】
好ましくは、装置は、流体圧インターフェースも備えている。該流体圧インターフェースユニットは、出口逆止弁、入口逆止弁、出口流体圧アキュムレータ、および入口流体圧アキュムレータを備えている。好ましくは、流体圧インターフェースユニットは、止まり側流体圧アキュムレータも備えている。好ましくは、流体圧インターフェースユニットは、作用側流体圧アキュムレータも備えている。
【００８１】
好ましくは、流体圧制御装置は、アルゴリズムに従って装置を制御することができるようになっている。
【００８２】
好ましくは、流体圧制御装置は、出口逆止弁および入口逆止弁に接続されている。好ましくは、装置は、流体圧制御装置を出口逆止弁に接続する高圧パイプラインおよび流体圧制御装置を入口逆止弁に接続する低圧パイプラインも備えている。
【００８３】
好ましくは、装置は、流体圧負荷を備えている。好ましくは、負荷は、タービンを含んでいる。好ましくは、タービンは、ペルトンタービンである。
【００８４】
好ましくは、装置は、閉ループ流体圧装置である。
【００８５】
好ましくは、装置は、波運動からエネルギーを抽出し／波エネルギーを変換するためのものである。特定の好ましい形態では、装置は、ピストンに縛られた浮力アクチュエータも備えている。
【００８６】
本発明がさらに十分に理解され、実施されるために、以下、添付の図面を参照して、本発明の好ましい実施形態について説明する。
【図面の簡単な説明】
【００８７】
【図１】流体圧装置の第１の好ましい実施形態の概略図である。
【図２】流体圧装置の第２の好ましい実施形態の概略図である。
【図３】流体圧装置の軸流流体圧ポンプの側断面を含む、図１，２に示されている流体圧装置の一部のさらなる詳細を示す概略図である。
【図４】流体圧装置の軸流流体圧ポンプの側断面を含む、流体圧装置の第３の好ましい実施形態の概略図である。
【図５】流体圧装置の第４の好ましい実施形態の側断面図である。
【図６】流体圧装置の軸流流体圧ポンプの側断面を含む、流体圧装置の第５の好ましい実施形態の概略図である。
【図７】流体圧装置の軸流流体圧ポンプの側断面を含む、流体圧装置の第６の好ましい実施形態の概略図である。
【図８】流体圧装置の軸流流体圧ポンプの側断面を含む、流体圧装置の第７の好ましい実施形態の概略図である。
【図９】図８に示されている流体圧装置の流体圧計測制御システムおよびバッテリ充電システムを示す概略図である。
【図１０】図８，９に示されている装置のような流体圧装置の種々の吸入圧および吐出圧の範囲に対するピストン排出量の範囲を示すグラフである。
【図１１】流体圧装置の軸流流体圧ポンプの側断面を含む、流体圧装置の第８の好ましい実施形態の概略図である。
【図１２】流体圧装置の第９の好ましい実施形態の概略図である。
【発明を実施するための形態】
【００８８】
図１−３を参照すると、波運動からエネルギーを抽出し／波エネルギーを変換するための閉ループ流体圧装置３０は、軸流流体圧ポンプ３１を備えており、該ポンプ３１は、チャンバ３３を画定するポンプ本体３２を備えている。ポンプ本体３２は、側壁３４を備えている。側壁３４は、上壁３５によって閉鎖された上端、および底壁３６によって閉鎖された下端を有している。底壁３６は、基部３７に取り付けられるように構成されている。
【００８９】
ピストン３８は、チャンバ３３をロッド側または作用側３９と止まり側４０とに仕切るように、かつチャンバ３３内において前後に摺動することができるように、チャンバ３３内に収容されている。ピストン３８と側壁３４との間の（図示されていない）シールによって、流体がピストン３８を超えて作用側３０と止まり側４０との間に流れることが阻止されている。理想的には、チャンバ３３の作用側３９および止まり側４０は、ポンプ３１の側壁３４に対する可動ピストン３８の完全なシールによって、ポンプ３１内において連通しないようになっている。２つのチャンバ間のいくらかの漏れは、シール摩耗として許容されることもある。
【００９０】
作用側の機械的緩衝装置４１は、チャンバ３３の作用側３９に位置するように、ピストン３８に固定されている。止まり側の機械的緩衝装置４２は、チャンバ３３の止まり側４０に位置するように、ピストン３８に固定されている。
【００９１】
ピストンロッド４３は、ピストン３８と共にポンプ本体３２に対して前後に移動することができるように、ピストン３８から本体３２の上壁３５の開口を通って延在している。（図示されていない）シールによって、流体が該開口を通ってチャンバ３３から漏出しないように阻止されている。
【００９２】
浮力アクチュエータ４４が、繋ぎ紐４５によって、ピストンロッド４３の上端に接続されている。
【００９３】
装置３０は、止まり側流体圧回路４６も備えている。流体圧回路４６は、チャンバ３３の止まり側４０および止まり側流体圧アキュムレータ４７を備えている。回路４６は、閉じており、流体は、チャンバ３３の止まり側４０とアキュムレータ４７との間のみで交換されることになる。アキュムレータ４７は、流体がアキュムレータ４７とチャンバ３３の止まり側４０との間で流れることができるようにするために、ホース４８によってチャンバ３３の止まり側４０に接続されている。ピストン止めリングによるポンプ口の障害物によって影響される緩衝区域以外は、止まり側流体圧アキュムレータ４７には、常時、最小限のインピーダンスしかもたらされていない。
【００９４】
止まり側回路４６内の流体は、標準的に用いられる流体とガスとの混合物を含んでいる。アキュムレータ４７は、ここでは、純粋にリザーバであり、理想的にはどのような緩衝をもたらすものでもない。
【００９５】
止まり側回路４６内の流体は、低粘度流体であるとよい。多くのピストンアキュムレータと同じように、止まり側が、流体と比較して流体力学的損失の低い窒素のようなガスによって、完全に充填されていてもよい。これによって、アキュムレータのコストを著しく低減させ、アキュムレータを小形化することができるという利点も得られる。
【００９６】
止まり側回路４６内の流体は、高潤滑性、すなわち、高潤滑能力を有する流体を含んでいてもよい。この潤滑によって、ピストンシールの寿命を改良することができる。また、（図示されていないが）、この流体を用いて、ロッドシールを毛細管を介して潤滑することもできる。潤滑流体の必要量が比較的少ないので、追加的なコストは、保守および停止時間の節約によって、相殺されるだろう。
【００９７】
装置３０は、ホース５０によってチャンバ３３の作用側３９に接続された出口逆止弁４９も備えており、これによって、流体は、チャンバ３３から弁４９を通って、矢印「Ａ」によって示されている方向に流れることができる。入口逆止弁５１が、出口逆止弁４９およびホース５０に並列に接続されており、これによって、流体は、矢印「Ｂ」によって示されている方向に沿って、弁５１を通ってチャンバ３３内に流れることができる。
【００９８】
出口流体圧アキュムレータ５２が、出口逆止弁４９に並列に接続されている。入口流体圧アキュムレータ５３が、入口逆止弁５１に並列に接続されている。
【００９９】
図１を特に参照すると、使用時に、装置３０の一部は、水面５５および平均潮位５６を有する海または海洋のような沖合の水域５４に配置されている。流体圧ポンプ３１は、水域５４の海床５７に載置された基部３７に固定されている。ポンプ３１は、基部３７に対して枢動することができるように、基部３７に固定されている。逆止弁４９，５１およびアキュムレータ４７，５２，５３は、沖合に位置する流体圧インターフェースユニット５８内に配置されている。流体圧インターフェースユニット５８の高圧出口は、高圧パイプラインによって陸上プラント５９の高圧入口に接続されており、流体圧インターフェースユニット５８の低圧入口は、低圧パイプラインによって陸上プラントの低圧出口に接続されている。
【０１００】
浮力アクチュエータ４４は、水域５４内に置かれている。従って、水域５４の波運動およびアクチュエータ４４の正浮力によって、アクチュエータ４４は、波擾乱の運動に追従し、上方に押され、繋ぎ紐４５に力を加え、次いで、繋ぎ紐４５がピストン３８をチャンバ３３内においてポンプ本体３２の上壁３５に向かって上方に移動させることになる。ピストン３８が上方に移動すると、チャンバ３３の作用側３９の流体が、チャンバ３３からホース５０および出口逆止弁４９を通って矢印Ａによって示されている方向に押し出されることになる。
【０１０１】
出口逆止弁４９を通って汲み出された流体のエネルギーの一部は、出口アキュムレータ５２内に貯蔵されるようになっている。出口アキュムレータ５２は、（出口逆止弁４９およびアキュムレータ５２が一部をなしている）閉ループ流体圧回路の高圧区域を通る流体の流れを平滑化するように機能する。流体は、回路の残りを巡回し、その後、矢印Ｂによって示されている方向に沿って、回路の別の分岐を通ってポンプ３１に還流するようになっている。
【０１０２】
ピストン３８がチャンバ３３内において上方に移動すると、閉鎖されている止まり側流体圧回路４６内の流体が、アキュムレータ４７からホース４８を通ってチャンバ３３の止まり側４０内に移動することになる。回路４６内の流体は、高潤滑かつ低粘度の流体である。
【０１０３】
作用側の機械的緩衝装置４１は、ピストン３８の上昇ストローク中にピストン３８およびポンプ本体３２が損傷するのを阻止するために、ピストン３８がポンプ本体３２の上壁３５に達すると、該ピストン３８の運動を緩衝するようになっている。特に、作用側の機械的緩衝装置４１は、上昇ストローク中にポンプ３１および繋ぎ紐４５に加えられる衝撃荷重を低減することになる。
【０１０４】
波底が装置３０上を通過する最中に、浮力アクチュエータ４４は、ピストン３８の重量によって落下し、流体の力が、閉じた流体圧回路内に流れ、矢印Ｂの方向に沿って入口逆止弁５１およびホース５０を貫流することによって、チャンバ３３の作用側３９に戻ることになる。還流する流体のエネルギーの一部が、入口アキュムレータ５３内に貯蔵されるようになっている。入口アキュムレータ５３は、閉ループ流体圧回路の低圧区域を通る流体の流れを平滑化するように機能する。
【０１０５】
ピストン３８がチャンバ３３内において下方に移動すると、チャンバ３３の止まり側４０内の高潤滑かつ低粘度の流体が、チャンバ３３からホース４８を通ってアキュムレータ４７に戻ることになる。理想的には、アキュムレータ４７は、どのような流体圧緩衝をもたらすことなく、単純にリザーバとして機能する。
【０１０６】
止まり側の機械的緩衝装置４２は、下降ストローク中にピストン３８およびポンプ本体３２が損傷するのを阻止するために、ピストン３８がポンプ本体３２の底壁３６に到達したとき、該ピストン３８の運動を緩衝する。特に、止まり側の機械的緩衝装置４２は、下降ストローク中にポンプ３１および繋ぎ紐４５に加えられる衝撃荷重を低減することになる。
【０１０７】
このサイクルは、波頂および波底が装置３０を通り過ぎるたびに、繰り返されることになる。
【０１０８】
図２を特に参照すると、装置３０は、流体圧インターフェースユニット５８に接続されたポンプ３１と浮力アクチュレータ４４とのアレイを備えていてもよい。
【０１０９】
図４を参照すると、波運動からエネルギーを抽出し／波エネルギーを変換するための流体圧装置６０は、装置３０と類似している。従って、装置６０，３０の同様の特徴部には、同様の参照番号が付されている。
【０１１０】
装置６０は、ホース５０によってチャンバ３３の作用側３９に並列に接続された作用側流体圧アキュムレータ６１も備えているという点において、装置３０と異なっている。従って、装置６０では、流体がチャンバ３３と作用側流体圧アキュムレータ６１との間に流れることができる。
【０１１１】
さらに、装置６０は、流体圧インターフェースユニット６２を備えている。インターフェースユニット６２は、止まり側流体圧アキュムレータ４７、出口逆止弁４９、入口逆止弁５１、出口流体圧アキュムレータ５２、入口流体圧アキュムレータ５３、および作用側流体圧アキュムレータ６１を備えている。
【０１１２】
流体圧インターフェースユニット６２は、出口６３および入口６４を備えている。
【０１１３】
装置６０の操作は、アキュムレータ６１が上昇ストローク中のピストン３８を流体的に緩衝し、作用側の機械的緩衝装置４１によってもたらされる機械的な緩衝を増強させる点を除けば、装置３０の操作と実質的に同じである。
【０１１４】
流体圧インターフェースユニット６２は、装置６０のポンプ３１および浮力アクチュエータ４４と共に、沖合に配置されている。
【０１１５】
図５を参照すると、波運動からエネルギーを抽出し／波エネルギーを変換するための流体圧装置７０は、軸流流体圧ポンプ７１を備えており、該ポンプ７１は、チャンバ７３を画定するポンプ本体７２を備えている。ポンプ本体７２は、上壁７５によって閉鎖された上端を有する側壁７４を備えている。側壁７４の上部７６は、側壁７４の下部７７よりも厚くなっており、これによって、チャンバ７３の上部分７８は、チャンバ７３の下部分７９よりも狭くなっている。側壁７４の上部７６は、上側ポート８０および下側ポート８１を備えている。
【０１１６】
ピストン８２は、チャンバ７３を作用側８３と止まり側８４とに仕切るように、かつチャンバ７３内において前後に摺動することができるように、チャンバ７３内に収容されている。ピストン８２は、上部８５およびより広い下部８６を備えている。ピストン８２の下部と違って、ピストン８２の上部８５は、図５に示されているように、チャンバ７３の上部分７８内に収容されるように十分に狭くなっている。凹縁８７が、ピストン８２の上部８５の上側周囲に沿って延在している。凹縁８７は、垂直面８８および下方傾斜面８９を備えている。凹縁８７は、ピストン８２が上側ポート８０を完全に覆うことを阻止するものである。
【０１１７】
ピストン８２と側壁７４との間のシール９０によって、流体がピストン８２を超えて作用側８３と止まり側８４との間に流れるのが阻止されている。
【０１１８】
ピストンロッド９１が、ピストン８２と共に本体７２に対して前後に移動することができるように、ピストン８２からポンプ本体７２の上壁７５の開口を通って延在している。シール９２によって、流体が上壁７５の開口を通ってチャンバ７３から漏出するのが阻止されている。
【０１１９】
作用側流体圧アキュムレータ９３は、流体がチャンバ７３の作用側８３と作用側流体圧アキュムレータ９３との間で前後に自由に流れることができるようにするために、ホース９４によって上側ポート８０に接続されている。
【０１２０】
ホース９５が下側ポート８１に接続されている。高圧流体が、チャンバ７３から下側ポート８１およびホース９５を通って、矢印「Ａ」によって示されている方向に流出することができ、低圧流体が、矢印「Ｂ」に示されている方向に沿って、下側ポート８１およびホース９５を通ってチャンバ７３に流入することができる。
【０１２１】
図６を参照すると、波運動からエネルギーを抽出し／波エネルギーを変換するための閉ループ流体圧装置１００は、ペルトンタービン１０１を含む流体圧負荷を備えている。この負荷は、タービン１０１によって駆動される（図示されない）発電機を含んでいてもよい。
【０１２２】
装置１００は、流体圧ポンプ３１を備える装置６０も備えている。ポンプ３１は、流体を装置１００内に汲み出すように作動され、これによって、タービン１０１を駆動することになる。
【０１２３】
流体圧制御装置１０２は、ポンプ３１によって装置１００内に汲み出される流体を制御するようになっている。特に、制御装置１０２は、装置１００の高圧区域および低圧区域における流体の圧力および流量を制御するようになっている。
【０１２４】
制御装置１０２の入口１０３は、高圧パイプライン１０４によって、流体圧インターフェースユニット６２の出口６３に接続されている。制御装置１０２の出口１０５は、高圧パイプライン１０７によって、タービン１０１の入口１０６に接続されている。タービン１０１の出口１０８は、低圧パイプライン１１０によって、制御装置１０２の入口１０９に接続されている。制御装置１０２の出口１１１は、低圧パイプライン１１２によって、流体圧インターフェースユニット６２の入口６４に接続されている。
【０１２５】
図６に示されている装置１００のような閉ループ装置を用いて、完全に閉鎖したポンプ制御をもたらすことができる。力の入力およびポンプ排出によって、陸上側の流体圧制御システムならびに沖合側の波エネルギー装置および流体圧インターフェースユニットの操作を管理するために、制御アルゴリズムが実装されている。この制御アルゴリズムは、出力（排水）を最大にするのみならず、ポンプストロークの上端および下端の衝撃を低減させるように、入口ポンプ圧力および出口ポンプ圧力を管理することができる。このアルゴリズムは、プラントの動力出力を改良すると共に、ポンプ３１の損傷／摩耗を低減するようになっている。また、この方法は、ポンプストロークが潮差を含むほど十分長い場合、潮の運動を補償することも可能である。
【０１２６】
装置１００は、潮の変動に応じて、水柱内の浮力アクチュエータの平均水位に対する静止位置を一定に保持するべきである。これは、閉ループ制御構成によって達成することができる。
【０１２７】
制御アルゴリズムは、現地位置に特有のものとされ、局部的な波の形態および潮差に関する情報を含んでおり、現地における波エネルギーコンバータの最適操作をもたらすようになっている。例えば、波エネルギーコンバータは、西オーストラリアのコスト、欧州の区域、および一部のフランス海外領に配備されている。これらの場所のいずれもが、異なる潮差および異なる波統計を有している。現地に特有なものとなるように適合された制御アルゴリズムを用いることによって、同一の汎用プラントおよび陸上ハードウエハをそれぞれの現地に最適に配備することが可能である。
【０１２８】
さらに、制御アルゴリズムは、浮力アクチュエータの浮力の人工的制御、すなわち、疑似制御を可能にする。これは、浮力アクチュエータ４４の物理的な浮力を人工的に低減するように、ポンプ入口圧を管理することによって、達成される。これによって、より小さい波浪状態中に浮力アクチュエータ４４の操作（下向き運動）を可能にするという利点が得られる。出口圧は、浮力アクチュエータの有効浮力を変更できない。しかし、同様の方法によって、ある波浪状態の範囲内における操作（上向き運動）を確実にするように、該出口圧を管理することができる。
【０１２９】
加えて、制御アルゴリズムによって、ある程度の流体圧による「引張力（stretch）」を繋ぎ紐の伝達機能に組み入れることができる。装置１００の必要な剛性特性は、通常、機械的な繋ぎ紐の引張力だけでは達成できないが、流体圧回路内のアキュムレータを用いることによって、流体圧による「引張力」をもたらし、必要な剛性特性を達成することができる。
【０１３０】
装置１００は、緩衝性エネルギー回復をもたらすことができる。装置１００のアキュムレータを用いて、ピストン運動の緩衝位相中に緩衝エネルギーの一部を吸収することができ、後続の作動流体による吸収を行うために、このエネルギーをシステムに戻すことができる。
【０１３１】
前述の特徴の各々は、装置１００に個別に適用されてもよいし、または漸次的に適用されてもよい。
【０１３２】
また、前述の特徴の各々は、波運動からエネルギーを抽出するための流体圧装置以外の流体圧装置または流体圧システムに適用されてもよい。例えば、これらの特徴は、
・  流体圧ポンプへの可変力の入力、
・  流体圧ポンプの過激な運動による損傷の可能性、および
・  システム内で補償されねばならない長期の摩耗または漏れ
が存在する流体圧装置または流体圧システムに適用可能である。
【０１３３】
図７を参照すると、波運動からエネルギーを抽出し／波エネルギーを変換するための閉ループ流体圧装置１２０は、軸流流体圧ポンプ１２１を備えており、該ポンプ１２１は、チャンバ１２３を画定するポンプ本体１２２を備えている。ポンプ本体１２２は、側壁１２４を備えている。側壁１２４は、上壁１２５によって閉鎖された上端および底壁１２６によって閉鎖された下端を有している。底壁１２６は、（図示されない）基部に取り付けられるように構成されている。
【０１３４】
ピストン１２７は、チャンバ１２３を作用側１２８と止まり側１２９とに仕切るように、かつチャンバ１２３内において前後に摺動することができるように、チャンバ１２３内に収容されている。ピストン１２７と側壁１２４との間の（図示されない）シールによって、流体がピストン１２７を超えて作用側１２８と止まり側１２９との間に流れるのが阻止されている。  
【０１３５】
ピストンロッド１３０は、ピストン１２７と共に本体１２２に対して前後に移動することができるように、ピストン１２７からポンプ本体１２２の上壁１２５の開口を通って延在している。（図示されない）シールによって、流体が該開口を通ってチャンバ１２３から漏出するのが阻止されている。
【０１３６】
出口逆止弁１３１が、迅速継手１３２を介してチャンバ１２３の作用側１２８に接続されている。入口逆止弁１３３が、迅速継手１３２を介して作用側１２８に並列に接続されている。入口逆止弁１３３は、迅速継手１３４によって、チャンバ１２３の止まり側１２９にも並列に接続されている。シーケンス弁１３５が、出口逆止弁１３１および入口逆止弁１３３に並列に接続されている。
【０１３７】
流体圧制御弁１４０が、出口流体圧アキュムレータ１４１に直列に接続されている。流体圧制御弁１４０は、出口逆止弁１３１およびシーケンス弁１３５に並列に接続されている。
【０１３８】
流体圧制御弁１４２が、入口流体圧アキュムレータ１４３に直列に接続されている。流体圧制御弁１４２は、シーケンス弁１３５に並列に接続されている。
【０１３９】
圧力変換器１４４が、装置１２０の高圧区域の圧力を検出し、流量計１４５が装置１２０の高圧区域の流体の流量を測定するようになっている。
【０１４０】
比例スロットル弁１４６が、流量計１４５に直列に接続されており、圧力変換器１４７が比例スロットル弁１４６から流出した流体の圧力を測定するようになっている。
【０１４１】
比例スロットル弁１４６から流出した流体がタービン１４８を駆動し、該タービンが冷却器用の水ポンプ１４９を駆動するようになっている。
【０１４２】
タービン１４８から流出した低圧流体は、水ポンプ１５０を駆動し、ポンプ１２１に戻る流体を冷却するようになっており、シーケンス弁１３５に並列に接続された逆止弁１５１を通過するようになっている。
【０１４３】
弁１４０，１４２、圧力変換器１４４，１４７、流量計１４５、比例スロットル弁１４６、およびシーケンス弁１３５は、装置１２０の操作を制御するための制御装置または制御システムの一部をなしている。
【０１４４】
装置１２０は、エネルギーを漏出させるようになっているとよい。すなわち、装置１２０は、過剰エネルギーを消失するようになっているとよい。例えば、もしタービン１４８が配電網に接続された発電機を駆動しており、この配電網が故障した場合、装置１２０は、タービン１４８を回転するためにエネルギーを用いるよりはむしろ該エネルギーを消失するようになっているとよい。エネルギーは、ポンプチャンバ１２３内の圧力が低くなるように装置１２０を運転することによって、または水を機械的に加熱し、ポンプ３１が位置する水域をヒートシンクとして用いることによって、消失されるとよい。シーケンス弁１３５が、タービン１４８をバイパスするように操作されてもよい。
【０１４５】
装置３０，６０，７０，１００，１２０の閉ループ運転によって、本明細書に記載されている技術革新の多くが可能になる。
【０１４６】
重要なことは、これらの装置の閉ループモードの運転によって、普遍化または標準化されたハードウエア一式を世界中の多くの異なる場所において用いることが可能になり、かつ各装置の応答をリアルタイムで能動的に調整するかまたは事前に調整し、異なる波浪条件に適応させ、潮の変動に対応させ、最も一般的には、種々の場所における広範囲の予想運転状況に適応させることが可能になることである。
【０１４７】
ポンプ、浮力アクチュエータ、縛り紐、および流体圧機器の普遍化または標準化されたシステムまたは集合体を有する利点は、このような機器の製造が、無駄をなくし、大量に、従って低コストで達成される点にある。各組の機器は、現地に配備される時に、閉ループ流体圧システムに有効な制御アルゴリズムを介して、最適化することができる。現地ごとに、該現地の波浪動力学および潮流動力学に応じて作動流体の運動を制御し、エネルギーの出力を最適化し、沖合機器の摩耗または損傷を最小限に抑える、特定用途向けの操作アルゴリズムをもたらすことができる。
【０１４８】
図８を参照すると、波運動からエネルギーを抽出し／波エネルギーを変換するための閉ループ流体圧装置１６０は、軸流流体圧ポンプ１６１を備えており、該ポンプ１６１は、チャンバ１６３を画定するポンプ本体１６２を備えている。ポンプ本体１６２は、側壁１６４を備えている。側壁１６４は、上壁１６５によって閉鎖された上端および底壁１６６によって閉鎖された下端を有している。底壁１６６は、ポンプ１６１が位置する水域の床に置かれているかまたは固定されている（図示されない）基部に取り付けられるように構成されている。
【０１４９】
ピストン１６７は、チャンバ１６３を作用側１６８と止まり側１６９とに仕切るように、かつチャンバ１６３内において前後に移動することができるように、チャンバ１６３内に収容されている。ピストン１６７と側壁１６４との間の（図示されない）シールによって、流体がピストン１６７を超えて作用側１６８と止まり側１６９との間に流れるのが阻止されている。
【０１５０】
ピストンロッド１７０は、ピストン１６７と共に本体１６２に対して前後に移動することができるように、ピストン１６７からポンプ本体１６２の上壁１６５の開口を通って延在している。（図示されない）シールによって、流体が該開口を通ってチャンバ１６３から漏出するのが阻止されている。
【０１５１】
ポンプ１６１は、ポンプ１６１の止まり側１６９に接続された出口逆止弁１７１も備えている。逆止弁１７１は、流体が該弁を通ってポンプ１６１に向かって逆流するのを防ぐものである。
【０１５２】
図示されていないが、浮力アクチュエータが、縛り紐によってピストンロッド１７０の上端に接続されている。
【０１５３】
調整側または作用側流体圧アキュムレータ１７２が、ホース１７３によって、ポンプ１６１の作用側１６８に接続されている。アキュムレータ１７２は、出口逆止弁１７５によって出口流体圧アキュムレータ１７４に接続されている。出口逆止弁１７５は、流体が該弁を通ってポンプ１６１に向かって逆流するのを防ぐものである。制御可能な出口弁１７６が、出口アキュムレータ１７４を熱交換器１７７に接続している。熱交換器１７７は、逆止弁１７９によって中間流体圧アキュムレータ１７８に接続されている。逆止弁１７９は、流体が該弁を通って熱交換器１７７に向かって逆流するのを防ぐものである。制御可能な入口弁１８０が、入口逆止弁１８１に接続されている。入口逆止弁１８１は、ポンプ１６１の作用側１６８に接続されており、流体が該弁を通ってポンプ１６１から離れる方に流れるのを防ぐものである。入口流体圧アキュムレータ１８２が、逆止弁１８１によってポンプ１６１の作用側１６８に接続されている。タービン１８３および逆止弁１８４は、弁１７６、熱交換器１７７、アキュムレータ１７８、逆止弁１７９、および弁１８０に並列に接続されている。タービン１８３は、発電機１８５を駆動するものである。
【０１５４】
圧力逃し弁１８６が、弁１７６、熱交換器１７７、アキュムレータ１７８、および逆止弁１７９に並列に接続されている。圧力逃し弁１８６は、装置１６０の流体圧回路の高圧側の過剰加圧を防ぐように機能するものである。圧力逃し弁１８６は、制御可能な弁であるとよい。
【０１５５】
逆止弁１７１が、ホース１８８によって、排出側／止まり側流体圧アキュムレータ１８７に接続されており、補給電気ポンプ１８９にも接続されている。逆止弁１９０が、逆止弁１８１およびアキュムレータ１８２に並列に接続されている。逆止弁１９０は、流体が該弁を通ってポンプ１８９に向かって流れるのを防ぐものである。
【０１５６】
ポンプ１８９は、アキュムレータ１８７を備える流体圧回路の止まり側に溜まっている流体を該ポンプ１８９の出口に接続された流体圧回路の作用側に戻すことができるようになっている。
【０１５７】
図９を参照すると、発電機１８５は、電力を充電装置１９１に供給するようになっている。充電装置１９１は、外部バッテリ充電モジュール１９２に接続されている。充電装置１９１および／または外部バッテリ充電モジュール１９２は、バッテリ１９３およびバッテリ１９４を充填するものである。バッテリ１９４によって、電力が電気ポンプ１８９に供給されるようになっている。バッテリ１９３によって、電力が計測制御システム／制御装置１９５に供給されるようになっている。
【０１５８】
複数のセンサ１９６が、制御装置１９５の１つまたは複数の入力側に接続されている。センサ１９６の例として、装置１６０内の作動流体の圧力、温度、および流量を検出する圧力センサ、温度センサ、および流量センサを含む種々の形式のセンサが挙げられる。
【０１５９】
出口弁１７６、入口弁１８０、および補給電気ポンプ１８９は、制御装置１９５が出口弁１７６、入口弁１８０、およびポンプ１８９の操作を制御することができるように、制御装置１９５の出力側に接続されている。制御装置１９５は、センサ１９６の出力に応じて、出口弁１７６、入口弁１８０、およびポンプ１８９の操作を制御するようになっているとよい。換言すると、制御装置１９５は、センサ１９６によって検出された圧力、温度、および流量に応じて、出口弁１７６、入口弁１８０、およびポンプ１８９の操作を制御するようになっているとよい。
【０１６０】
圧力逃し弁１８６は、該弁１８６の操作が制御装置１９５によっても制御可能であるように、制御装置１９５の出口側にも接続可能になっているとよい。
【０１６１】
制御装置１９５は、装置１６０が該装置１６０の位置する水域の波運動から最適なまたはほぼ最適な量のエネルギーを抽出、変換、または伝達することができるように、出口弁１７６、入口弁１８０、ポンプ１８９、および／または圧力逃し弁１８６を制御するようになっているとよい。
【０１６２】
流体圧回路の吸入圧および吐出圧を変化させることによって、ピストンストロークのある程度の制御が可能になる。一定の波浪状態の期間における平均制御圧力（Ｈｓｉｇ＝０．４５ｍ、Ｔｓｉｇ＝３ｓ）／種々の吸入圧および吐出圧の範囲に対する（／対）装置１６０のような流体圧装置の平均ピストンストローク限界の範囲／ピストン排出量の範囲が、図１０に示されている。吸入圧力範囲の最大値が減少するにつれて、ピストン排出量の範囲の最小値が増大することが分かるだろう。他の波浪状態に対しても、同様のチャート／グラフを得ることができる。
【０１６３】
流体圧システム／装置１６０の構想は、ポンプ入口およびポンプ出口において適切な圧力を維持することができる閉ループシステム／装置１６０である。ポンプが作動すると、流体圧回路内に圧力および流れが生じる。流体圧回路の圧力は、２つの制御弁１７６，１８０によって制御されることになる。１つの制御弁（すなわち、出口弁１７６）は、ポンプ１６１外の圧力を制御し、他の制御弁（すなわち、入口弁１８０）は、ポンプ１６１内の圧力を制御するようになっている。これらの弁（出口弁１７６および入口弁１８０）は、システム／装置１６０内の２つの主要制御「レバー」である。制御弁１７６，１８０は、いずれも、種々の波浪形態に対して圧力を変更するために、遠隔制御されるようになっている。このシステム構成の場合、ペルトンタービンは、ポンプ１６１によって生じたエネルギーを消失させる手段としての２つの制御弁および熱交換器１７７に置き換えられている。止まり側１６９では、どのような流体伝達も行われない。ポンプ拡張中に、部分的な真空が生じる。ピストンシールを介する内部漏れが生じた場合、流体は、漏れ配管を通して排出されるようになっており、逆止弁１７１によって、流体がポンプ／ピストン１６７／ピストンロッド１７０の拡張中にポンプ１６１内に逆流するのが阻止されている。
【０１６４】
ロッド側／調整側／作用側の流体圧アキュムレータ１７２は、システム／装置１６０の最適化において鍵となる役割を果たすものである。アキュムレータ１７２のガス充填およびガス量を調整することによって、動力流および動力流の動力学を制御することが可能である。また、調整側／作用側の流体圧アキュムレータ１７２ならびに出口アキュムレータ１７４および入口アキュムレータ１８２の適切な調整によって、「ウオータハンマー」、すなわち、運動量移行効果と同様の動力学的効果を低減させることができることも、この閉ループシステム／装置１６０の特徴である。運動量移行効果は、逆止弁の１つまたは複数が跳ね返ることによって生じるものである。
【０１６５】
圧力逃し弁１８６は、システム／装置１６０の過剰加圧を防ぐものである。システム／装置１６０の構想は、流体圧エネルギーを貯蔵し、圧力変動を管理することを可能にするために、ポンプ１６１のロッド側／作用側１６８にアキュムレータ１７２，１７４，１７８，１８２を備えている。排出側／止まり側アキュムレータ１８７は、装置１６０の主要（すなわち、作用側）流体圧回路内に再加圧される前に、ポンプまたはシステムレベルにおける内部漏れから生じた作動流体を貯蔵するようになっている。逆止弁１７１，１７５，１７９，１８１，１８４が、流体圧回路を通る作動流体の流れが正確な方向に生じることを確実なものとする。また、システム／装置１６０を調整し、生じた動力を最適化するために、ポンプ出口逆止弁１７５の直前に、調整側／作用側流体圧アキュムレータ１７２が設けられている。
【０１６６】
装置１６０を通る流体の流れは、「穏やかな（soft）」流れと「激しい（hard）」流れとの間で変更可能になっている。ポンプ１６１への最小負荷に対応する「穏やかな流れ」の場合、圧力逃し弁１８６は、流体のかなりの部分が弁１８６を通って汲み出されるように、完全に開放されている。ポンプ１７１への最大負荷に対応する「激しい流れ」の場合、圧力逃し弁１８６および入口弁１８０は、完全に閉鎖され、出口弁１７６が完全に開放されるようになっている。
【０１６７】
小形バッテリによって作動されるポンプ（すなわち、補給電気ポンプ１８９）は、ポンプ１６１の作用側１６８からの内部ポンプ漏れによって失われた流体をポンプ１６１の止まり側１６９に戻すものである。
【０１６８】
図９に記載／図示されているように、全ての計器／センサ１９６、弁１７６，１８０、および戻り／補給電気ポンプ１８９は、局所的に取り付けられた制御システム／制御装置１９５と相互作用するようになっている。システム／装置１６０は、２つのバッテリ１９３，１９４を備えている。主バッテリ（すなわち、バッテリ１９３）は、計器／センサ１９６、弁１７６，１８０、および制御システム／制御装置１９５を備える計測制御システムに電力を供給するものである。第２のバッテリ１９４は、補給ポンプ１８９および補助機器に電力を供給するものである。
【０１６９】
図１１を参照すると、波運動からエネルギーを抽出し／波エネルギーを変換するための閉ループ流体圧装置２００は、軸流体圧ポンプ２０１を備えており、該ポンプ２０１は、チャンバ２０３を画定するポンプ本体２０２を備えている。ポンプ本体２０２は、側壁２０４を備えている。側壁２０４は、上壁２０５によって閉鎖された上端および底壁２０６によって閉鎖された下端を備えている。底壁２０６は、ポンプ２０１が位置する水域の床に置かれているか、または固定されている（図示されない）基部に取り付けられるように構成されている。
【０１７０】
ピストン２０７が、チャンバ２０３を作用側２０８と止まり側２０９とに仕切るように、かつチャンバ２０３内において前後に移動することができるように、チャンバ２０３内に収容されている。ピストン２０７と側壁２０４との間の（図示されない）シールによって、流体がピストン２０７を超えて作用側２０８と止まり側２０９との間に流れるのが阻止されている。
【０１７１】
ピストンロッド２１０が、ピストン２０７と共に本体２０２に対して前後に移動することができるように、ピストン２０７からポンプ本体２０２の上壁２０５の開口を通って延在している。（図示されない）シールによって、流体が該開口を通ってチャンバ２０３から漏出するのが阻止されている。
【０１７２】
ポンプ２０１は、ポンプ２０１の止まり側２０９に接続された逆止弁２１１も備えている。
【０１７３】
図示されていないが、浮力アクチュエータが、縛り紐によってピストンロッド２１０の上端に接続されている。
【０１７４】
ロッド側／調整側／作用側の流体圧アキュムレータ２１２が、ホース２１３によってポンプ２０１の作用側２０８に接続されている。アキュムレータ２１２は、逆止弁２１５によって出口流体圧アキュムレータ２１４に接続されている。制御可能な出口弁２１６が、出口アキュムレータ２１４をタービンまたはペルトンホイール２１７に接続しており、これによって、弁２１６から流出する作動流体が、タービンまたはホイール２１７を回転させることができる。タービンまたはホイール２１７は、（図示されない）発電機に接続されていてもよく、これによって、タービンまたはホイール２１７の回転が、発電機を駆動し、電気を生成することができる。タービンまたはホイール２１７の出力側または出口は、タンクまたはリザーバ２１７に接続されており、これによって、タービンまたはホイール２１７から流出した低圧流体は、矢印２１８によって示されているようにリザーバ２１７内に流入することになる。リザーバ２１７は、ポンプ２１９、制御可能な入口弁２２０、逆止弁２２１、およびホース２１３によって、ポンプ２０１の作用側２０８に接続されている。ポンプ２１９は、流体をポンプ２０１に向かって汲み出すように操作可能である。中間流体圧アキュムレータ２２２が、ポンプ２１９および入口弁２２０と並列にポンプ２０１の作用側２０８に接続されている。入口流体圧アキュムレータ２２３が、逆止弁２２１と並列にポンプ２０１の作用側２０８に接続されている。圧力逃し弁２２４および圧力逃し弁２２５が、（ポンプ２０１の作用側に接続された）流体圧回路の高圧側と該流体圧回路の低圧側との間に接続されている。圧力逃し弁２２４および／または圧力逃し弁２２５は、制御可能であるとよい。
【０１７５】
逆止弁２１１は、ホース２２７によって排出／止まり側流体圧アキュムレータ２２６に接続されており、補給電気ポンプ２２８にも接続されている。逆止弁２２９が、ポンプ２２８をリザーバ２１７に接続している。ポンプ２２８は、アキュムレータ２２６を備える流体圧回路に溜まっている作動流体を（ポンプ２２８の出口に接続された流体圧回路の作用側にある）リザーバ２１７内に戻すことができる。
【０１７６】
破線２３０の左に位置する装置２００の構成要素の全てが、沖合の水域内に配置されており、破線２３０の右側に位置する装置２００の構成要素の全てが、陸上に配置されている。
【０１７７】
図１１に示されていないが、装置２００は、装置２００の種々の構成要素に電力を供給する手段も備えている。例えば、タービンまたはペルトンホイール２１７が発電機を駆動する場合、該発電機は、電力を充電装置に供給することができる。充電装置は、バッテリ充電モジュールと一緒に、装置２００の１つまたは複数のバッテリを充電し、これによって、装置２００の種々の動力要素に電力を供給するようになっている。
【０１７８】
各空気／ガス充填ライン２３１は、アキュムレータ２１２，２１４，２２２，２２３，２２６の各々を（図示されない）充電空気／ガスの１つ、または複数の陸上源（shore-based sources）に接続している。
【０１７９】
装置１６０と同様に、装置２００は、（図示されない）計測制御システム／制御装置も備えているとよい。この制御装置には、装置２００のバッテリから電力が供給されるとよい。
【０１８０】
（図示されない）複数のセンサが、装置１６０の制御装置の１つまたは複数の入力側に接続されている。センサの例として、装置２００内の作動流体の圧力、温度、および流量を検出する圧力センサ、温度センサ、および流量センサを含む種々の形式のセンサが挙げられる。
【０１８１】
出口弁２１６、入口弁２２０、補給ポンプ２２８、圧力逃し弁２２４、および／または圧力逃し弁２２５は、制御装置によって制御されるようになっているとよい。制御装置は、制御装置の入力側に接続されたセンサの出力に応じて、出口弁２１６、入口弁２２０、補給ポンプ２２８、圧力逃し弁２２４、および／または圧力逃し弁２２５の操作を制御するようになっているとよい。換言すれば、制御装置は、種々のセンサによって検出された圧力、温度、および流量に応じて、出口弁２１６、入口弁２２０、補給ポンプ２２８、圧力逃し弁２２４、および／または圧力逃し弁２２５の操作を制御するようになっているとよい。
【０１８２】
制御装置は、装置２００が該装置２００の位置する水域の波運動から最適な、または、ほぼ最適な量のエネルギーを抽出、変換、または伝達することができるように、出口弁２１６、入口弁２２０、補給ポンプ２２８、圧力逃し弁２２４、および／または圧力逃し弁２２５を制御するようになっているとよい。
【０１８３】
ポンプチャンバ２０３の作用側２０８への単一のライン／ホース／パイプが設けられており、調整側／作用側流体圧アキュムレータ２１２が、このラインに接続されている。排出側／止まり側流体圧アキュムレータ２２６および陸上に位置する電気補給ポンプ２２８は、ポンプ２０１の止まり側２０９から漏れた流体をポンプ２０１の作用側に接続された主流体圧回路の入口ラインに送るようになっている。圧力逃し弁２２４は、ポンプ２０１の近くのループの沖合端における主流体圧回路の出口ラインおよび入口ラインに接続されている。圧力逃し弁２２４は、主流体圧回路内の過剰圧力に対する安全機構をもたらすものである。（設けられていてもよいし、設けられていなくてもよく、もし設けられているなら、陸上に配置されているとよい）圧力逃し弁２２５は、沖合側圧力逃し弁２２４が故障した場合の予備弁をもたらすものである。
【０１８４】
作動流体の出口流／流出流は、タービン２１７を駆動し、タービン２１７の出口の使用済み／低圧流体は、再加圧のためにリザーバ／貯蔵タンク２１７に戻され、次いで、ポンプ２０１に戻される。矢印付きライン２３１は、陸上に向かっており、これは、制御ポイントを指している。ライン２３１および種々のアキュムレータ内のガス充填は、制御アルゴリズムに従って、陸上から変更されるとよい。
【０１８５】
出口制御弁２１６の機能は、ペルトンタービン／ホイール２１７用の（スピア弁とも呼ばれる）入口弁によって果たされてもよい。この場合、別の出口弁２１６を設ける必要がない。何故なら、該弁がペルトンタービン／ホイールアセンブリ２１７内に含まれているからである。
【０１８６】
図１２を参照すると、波運動からエネルギーを抽出し／波エネルギーを変換するための閉ループ流体圧装置２５０は、該装置２５０が８つの軸流流体圧ポンプ／波エネルギーコンバータ（ＷＥＣ）２０１のアレイを備えている以外は、装置２００と同様である。ポンプ２０１の各々は、ポンプ２０１の作用側２０８に接続された各調整側／作用側流体圧アキュムレータ２１２および逆止弁２１５，２２１を有している。装置２５０は、多重「ＣＥＴＯ」ユニットを備える大規模システムをモデル化させたものである。
【０１８７】
逆止弁２１５の各々は、マニホールド２５１に接続されており、逆止弁２２１の各々は、マニホールド２５２に接続されている。マニホールド２５１は、出口流体圧アキュムレータ２１４に接続されており、マニホールド２５２は、入口流体圧アキュムレータ２２３に接続されている。
【０１８８】
各ポンプ２０１の止まり側は、１つまたは複数のホース２２７および逆止弁２１１を介して、１つまたは複数の排出側／止まり側流体圧アキュムレータ２２６に接続されているとよく、逆止弁２２９を介して装置２５０のリザーバ２１７に接続され得る補給電気ポンプ２２８にも接続されているとよい。
【０１８９】
星印の付いた各空気／ガス充填ライン２３１は、装置２５０のアキュムレータ２１２，２１４，２２２，２２３，２２６の各々を（図示されない）充電空気／ガスの１つまたは複数の陸上源に接続している。
【０１９０】
典型的には、装置２５０のポンプ２０１は、縦に３列を超えないアレイで配置されている。
【０１９１】
ポンプ２０１は、互いに同じであってもよいし、同じでなくてもよい。
【０１９２】
図１２に示されている形式の典型的なプラント／装置では、該装置は、沖合で互いに接続された８つのポンプ２０１からなる多重アレイから構成することができ、沖合の蓄積によって流れを陸上のタービン／ペルトンホイールに供給するようになっている。陸上の外部ポンプ２１９は、沖合ポンプ２０１のピストンを駆動するために、流れを該ポンプに還流するようになっているとよい。これは、一例として、図１２に概略的に示されている。代替的に、タービン／ペルトンホイール２１７における加圧流体は、ポンプ２０１のピストンを駆動するために、ポンプ２０１に供給されるようになっているとよい。
【０１９３】
ポンプＷＥＣ／ポイントＷＥＣを利用する操作可能なパワーステーションは、多数のユニットから構成されているとよい。ユニットの数は、パワーステーションの全動力出力要求によって決定されることになる。ポイントＷＥＣは、エネルギーの単一ポイント吸収体として挙動するＷＥＣとして理解されたい。
【０１９４】
以上は、波エネルギー装置を制御し、最適化するための種々のシステムについて述べたものである。波エネルギー装置は、流体動力を取り出す波エネルギーコンバータ（ＷＥＣ）、例えば、（ＷＥＣの特殊な形式である）ＣＥＴＯを備えている。ＷＥＣは、閉ループモードで運転されるようになっている。閉ループは、高圧の装置出口ラインおよびかなり低圧の入口（戻り）流体ラインを備えている。閉ループ内を循環する流体は、実質的に水性である。この流体は、エネルギーを陸上に伝達するものである。流体は、圧力および流量を介して、エネルギーを移送することになる。加えて、陸上には、タービンまたは圧力交換用エンジンのような流体機械装置を介して作動流体からエネルギーを取り出す手段が設けられている。
【０１９５】
システムは、陸上および／または沖合に配置された制御要素を備えているとよい。制御要素は、出口ラインおよび陸上の入口ラインにおける圧力および流量を調整する弁を備えているとよい。加えて、制御要素は、入口ラインと出口ラインとの間に配置された沖合側圧力逃し弁を備えているとよい。また、制御要素は、沖合に配置された流体圧アキュムレータを備えているとよい。さらに、制御要素は、陸上に配置された流体圧アキュムレータであって、一方が出口ラインに接続されており、他方が入口ラインに接続されている、流体圧アキュムレータを備えているとよい。さらに、制御要素は、陸上において、入口ラインと出口ラインとの間に配置された圧力逃し弁を備えているとよい。
【０１９６】
上記システムは、制御アルゴリズムを用いて、制御要素を制御するようになっているとよい。例えば、もし流体圧弁およびアキュムレータへのガス充電手段が、制御要素として設けられているなら、制御装置を用いて、それらを制御するようになっているとよい。
【０１９７】
制御アルゴリズムは、以下の機能の１つまたは複数を行うようになっているとよく、または以下の特性の１つまたは複数を有しているとよい。
【０１９８】
ａ．アキュムレータの容積変化（弁の開閉）によって、拘束ピストン端と非拘束ピストン端との間（これら端を含む）におけるＣＥＴＯＷＥＣの機械的剛性を調整すること。「拘束ピストン（piston-constrained）」は、作動流体が、調整アキュムレータによって許容される程度まで、流体圧回路の内側で移動が拘束されることによって、ピストンの運動が最小限に抑えられている状態を指しており、「非拘束ピストン（piston free）」は、入口回路と出口回路との間で流体が自在に流れ、ピストンがその自重および加えられる外力の影響によって自在に運動することができる状態を指している。
【０１９９】
ｂ．ＣＥＴＯの場合、潮流によって生じるような水深の緩慢な変動に適応するように、ポンプのピストンの基準位置を調整すること。
【０２００】
ｃ．近接波測定装置によるリアルタイム入力値に従って、ＷＥＣ装置の制御要素を調整すること。このような装置は、海面状態を定める瞬間的な波高（Ｈ）、瞬間的な波周期（Ｔ）、瞬間的な波拡散（θ）、および任意の他の関連パラメータを記録し、このデータをリアルタイムでアルゴリズムにもたらすようになっているとよい。
【０２０１】
ｄ．ｃ）において、動力Ｐが瞬間的な最大値になるように、設定値を調整すること。
【０２０２】
ｅ．ｃ）において、動力Ｐが瞬間的な最小値になるように、設定値を調整すること。もし保守または検査が行われている場合、このような条件が望ましい。
【０２０３】
ｆ．ｃ）において、Ｐが確率ｐｍで最小値Ｐｍを超えるように、設定値を調整すること。
【０２０４】
ｇ．事前設定テンプレートＦを適用し、時間間隔τにおいてＷＥＣによって送達される全動力を最大にするように、制御要素３）の値を規制すること。
【０２０５】
ｈ．時間間隔τは、観測上の基準時点τεの秒から分、時間の範囲内における変数であるとよい。例えば、標準的な沖合の実行時間は、連続的な不規則海面状態の場合、２０分であり、激しい海面状態の場合、３時間である、
【０２０６】
ｉ．各基準時点τεは、アルゴリズムＡの設定操作点およびアルゴリズムＡによって行われる制御の範囲を定める特有テンプレートＦεに関連付けられている。
【０２０７】
ｊ．制御アルゴリズムＡは、ｉ）の一連のテンプレートＦεを含んでいるとよい。各テンプレートは、協働して、任意の観測時点における最短時間と最長時間との間の最適エネルギー出力Ｅｍａｘをもたらすことになる。すなわち、アルゴリズムＡは、常に、最大積分エネルギーＥｍａｘをもたらすように調整されるようになっている。
【数２】
2013510980.tif 000004
【０２０８】
ｋ．特定のアルゴリズムＡは、以下の条件の１つまたは複数に特有の成分を含むアルゴリズムの集合Ａｉから導かれるようになっているとよい。
ａ．特定の地理学的箇所；
ｂ．特定の水深および海底地形；
ｃ．特定類別の波活動、例えば、強力な波活動、沖合の波活動、穏やかな波活動、沿岸の波活動、またはこれらの組合せ；
ｄ．特定の季節、例えば、冬、夏；
ｅ．ＷＥＣの特定の構成；
ｆ．同時係属中のＣＥＴＯ特許出願に記載されているようなエネルギー緩和機構を含むＷＥＣの特定の物理的構成；
ｇ．ＷＥＣの老朽化、状態、運転歴に対応するＷＥＣの特定の物理的状態；
ｈ．ＷＥＣの構成における任意の他の変更；
ｉ．年間の支配的な海面状態（例えば、西オーストラリアの湾岸から離れたガーデン島の現場は、６〜８つの支配的な海面状態を有している）；および
ｊ．特定の安全／緊急条件。
【０２０９】
ここでは、前述したような閉ループ系をなす、入口配管および出口配管の共通組に一緒に並列に接続されたＷＥＣのアレイを備えるシステムについても、述べられている。
【０２１０】
ＷＥＣのアレイを備えるシステムでは、アルゴリズムＡの最適化は、波拡散にも影響されるようになっている。アルゴリズムＡｉおよびテンプレートＦεは、単一ＷＥＣのものと実質的に異なっている。多重ユニットの場合、そのアルゴリズムが単一ユニットのアルゴリズムと大きく異なっている点は、ユニット間の流体圧的相互作用であることに留意されたい。
【０２１１】
また、前述したシステムの全てに記載されているシステムであって、アルゴリズムＡｉが最適フィルター手法によって生じるようになっている、システムも記載されている。
【０２１２】
単一ＣＥＴＯユニットのような単一ポイント吸収体波エネルギーコンバータ（ＷＥＣ）の応答は、動力関数Ｐ（Ｈ，Ｔ，θ）を用いて、数学的に記述することができる。動力関数Ｐ（Ｈ，Ｔ，θ）は、瞬間的な動力が、原理的に、瞬間的な波高Ｈ、瞬間的な波周期Ｔ、および瞬間的な波拡散の角度の関数であることを表している。実際の海は、多数の波方向、風波、大波、場合によっては、他の成分を有することがある。
【０２１３】
関数Ｐは、瞬間的な動力を表している。
【０２１４】
応答関数Ｐの生成は、多くの方法、例えば、
ｉ．既知の周期Ｔおよび振幅Ｈの正弦波励起のパルス列によって単一ＷＥＣを励起し、得られた瞬間的動力Ｐを測定する方法、または
ｉｉ．ＷＥＣへの入力を、これらの変数の関数として動力出力を正確に記述する有限要素モデルおよび／または動的シミュレーションモデルによって、シミュレーションする方法、
によって、達成することができる。
【０２１５】
上記のプロセスは、一般的に「パワーマトリックス（power matrix）」と呼ばれる瞬間的な波周期および瞬間的な波高に対する瞬間的な動力の３次元的表面マップをもたらすことになる。パワーマトリックスは、海面状態および３）において述べたように行われる制御を受けたシステムの機械的な応答を記述している。仮想正弦波擾乱の場合、関数Ｐを時間τにわたって積分することによって、所定値の波高および波周期によって時間τ内に送達される平均エネルギーが得られることになる。
【０２１６】
実際の水波の波高および波周期は、時間的かつ空間的な確率的（無作為）変動を生じている。これらの変動およびこれらの変動間の相関関係を特徴付けるために、時間的かつ空間的な分布関数が用いられる。得られた分布、例えば、ピアソン・モスコビッチスペクトルのような経験的モデルは、単位周波数間隔当たりの（波高）２（ｍ２／Ｈｚ）で表される波高スペクトル分布をもたらす。これらの分布関数が、所定の場所および所定の季節における典型的な波浪気候を記述し、予測することができる精度は、実データまたはモデル化データのデータ記録がいかに広範に該場所において入手可能であるかに依存している。現場における観察の記録またはモデル化の記録がより広範であるほど、データから導かれるモデルの予測動力における統計的信頼性のレベルが大きくなる。
【０２１７】
所定の場所および所定の季節におけるＷＥＣの動力出力に関する統計的な予測性能は、（パワーマトリックスによる）機械応答と波モードとの畳込み、すなわち、畳込み関数から得られる。時間τにわたる全予測エネルギー出力は、この畳込み関数の時間積分によって与えられることになる。
【０２１８】
もし畳込み関数がロバスト（robust）なものであるなら、すなわち、もし畳込み関数が高い統計的信頼性で動力出力を予測するのに用いることができるなら、この関数は、該関数を最適フィルターとして適用することによって、ＷＥＣ（すなわち、装置１６０，２００，２５０のような閉ループ流体圧装置）の応答を最適化するのに、用いることができる。最適フィルターは、所定の出力、この場合、ＷＥＣによって生じるエネルギーを最大にするために、システム特性およびシステムを駆動する擾乱、この場合、波のスペクトル特性に関する知識を用いている。
【０２１９】
最適フィルターを実装するプロセスは、制御アルゴリズムＡｉおよび５）において記載したＦで表される制御アルゴリズムＡｉの関連する制御目標値および制御範囲をもたらすことになる。最適フィルター手法は、装置のエネルギー出力が時間間隔τにおいて最大化されるように、（３）において記載したような）ＷＥＣの制御要素を変更する制御アルゴリズムをもたらすことになる。
【０２２０】
最適フィルターおよび派生するアルゴリズムを生成する手法は、単一波の現地の場合、以下の通りである。
【０２２１】
ｉ．前述した方法を用いて、波エネルギーコンバータに対するパワーマトリックスＰを決定する。このパワーマトリックスは、システムの状態変数の関数であると共に時間の関数でもある。状態変数は、吸込ループおよび戻りループにおける圧力および流量、およびシステム内の種々のアキュムレータのガス充填圧およびガス充填量を含んでいる。
【０２２２】
ｉｉ．ＷＥＣの物理的な設置場所に適用可能な海面状態に対して最もロバストなスペクトルモデルを決定する。前述の方法を用いる。ほぼ、任意の場所を所定数の支配的な海面状態によって記述することが可能である。
【０２２３】
ｉｉｉ．海面状態スペクトル密度をパワーマトリックスに畳み込む。波高および波周期の変数の間に自然の相関関係が存在することに注意されたい。得られた伝達関数は、ＷＥＣの状態変数および動的海洋のパラメータに対するユニットの動力生成に関連するものである。この関数が時間に対して積分され、所定の時間間隔におけるＷＥＣの平均エネルギー予測出力の推定値が得られる。このエネルギー推定値は、制御アルゴリズムが働いているＷＥＣの状態変数の関数であり、海洋擾乱のスペクトルを予期するのに用いられた海洋モデルのパラメータによって決定されたものである。
【０２２４】
ｉｖ．ベクトル解析の技術を適用するエネルギー関数（状態変数）の多パラメータ最適化を行い、ニュートン・ラフソン法のような標準的ルーチンを用いて、局所的極値および包括的極値を見出す。数値解析および多変数最適化の分野の当業者であれば、これらの技術およびこれらの技術が適用される数学的条件に精通しているだろう。
【０２２５】
ｖ．エネルギー関数Ｅｍａｘのベクトル空間内に操作点および安定操作領域を画定する。これによって、テンプレートＦを生成する。
【０２２６】
ｖｉ．制御システムの伝達関数を状態変数に適用し、制御アルゴリズムＡを生成する。  
【０２２７】
ｖｉｉ．制御アルゴリズムのシミュレーションを行い、アルゴリズムＡおよび目標値Ｆの精度および安定性を検証する。
【０２２８】
ｖｉｉｉ．要求されるアルゴリズムＡｉに代入するのに必要な種々の海面状態に対して、ｉｉ）以降のステップを繰り返す。もしこの集合が機械の状態の変更を含んでいるなら、ｉ）からステップを繰り返す。
【０２２９】
アルゴリズムされるプロセスおよび後続のＷＥＣへの応用における重要な特徴は、このプロセスおよびＷＥＣへの応用が発見的（heuristic）であること、すなわち、ＷＥＣの操作寿命にわたって学習する能力を有していることにある。所定の現地における波統計の初期のモデル推定値は、比較的不確実なものである可能性があるが、それらの予測の信頼性レベルは、ＷＥＣが運転され、かつ波浪気候のより詳細な統計的具現性が蓄積されるにつれて、経時的に改良されることになる。学習は、この情報をｉｉ）においてアルゴリズム生成プロセスにフィードバックすることによって、達成される。同様に、機器の老朽化に関する情報を運転寿命にわたって収集し、ｉ）においてアルゴリズム生成プロセスにフィードバックすることによって、パワーマトリックにも発見的な手法を導入し得る可能性がある。いずれも場合も、発見的な展開によって、より完全なアルゴリズムの集合ＡｉおよびテンプレートＦが得られ、これによって、波エネルギーコンバータの運転寿命中に直面するあらゆる条件下において、エネルギー出力を最適化することができる。
【０２３０】
前述の検討および手法は、波力発電場（wave farm）、すなわち、多重ＷＥＣのアレイにも同様に適用される。唯一の違いは、制御されるべき状態変数が多いことである。何故なら、プラントが極めて複雑である、かつ
ａ）パワーマトリックスに「拡散（spread）」と呼ばれる角度依存性が存在し、
ｂ）ＷＥＣアレイ内の個々のユニット間に相互作用効果が存在し、
ｃ）海面状態に対する到来角度の分布を波モデル化に含ませる必要がある、
からである。
【０２３１】
最適化に関する検討は、有益である。システムを最適化するために、
１．まず、パワーマトリックスを決定し、
２．パワーマトリックスおよび波モデルを用いて、システム伝達関数を作り、かつ最適化し、
３．物理的立地に対するロバストなスペクトルモデルを用いて、伝達関数を特定の現地に対して最適化する。ここで、制御アルゴリズムが適用されることになる。
【０２３２】
これと共に用いられる式は、
【数３】
2013510980.tif 000005
【０２３３】
装置のポンプを駆動する波は、不規則な入力コンディショナーである。これは、装置のポンプが不規則に駆動されることを意味している。従って、装置は、その出力を最大化するために、制御される必要がある。装置を制御するために、最適フィルターが用いられる。システム／装置のパラメータは、最適フィルターによって与えられるレシピ（recipe）に従って設定されることになる。最適フィルターは、通常、装置の場所、または季節、例えば、夏、冬、等によって異なっている、または変更されることになる。最適フィルターは、種々のパラメータを用いてシステム／装置を試験することによって、および／またはモデルを用いることによって、得られるとよい。最適フィルターに従って装置を制御することによって、装置の出力曲線に基づくエネルギーを最大化させることができる。
【０２３４】
当業者であれば、ここに述べた本発明の変更および修正は、本発明の精神および範囲から逸脱することなく、明瞭なものであることを理解されたい。当業者には明らかなこれらの修正および変更は、本明細書において述べた本発明の広い範囲および領域内に含まれることが意図されている。
【０２３５】
明細書および請求項を通して、もし文脈が他のことを要求していないなら、「備える（comprise）という用語あるいは「comprises」または「comprising」のような変形は、記述されている完全体または完全体の群を含むが、任意の他の完全体または完全体の群を排除するものではないことを理解されたい。
【０２３６】
明細書および請求項を通して、もし文脈が他のことを要求していないなら、「実質的（substantially）」または「約（about）」という用語は、この用語によって示された範囲の値に制限されるものではないことを理解されたい。
【０２３７】
もし先行技術文献がここに引用されているなら、該文献がオーストラリアまたは任意の他の国の技術分野における共通の一般知識の一部を形成することを認めるものではないことは、明瞭に理解されるだろう。
【図１】
2013510980.tif 000007
【図２】
2013510980.tif 000008
【図３】
2013510980.tif 000009
【図４】
2013510980.tif 000010
【図５】
2013510980.tif 000011
【図６】
2013510980.tif 000012
【図７】
2013510980.tif 000013
【図８】
2013510980.tif 000014
【図９】
2013510980.tif 000015
【図１０】
2013510980.tif 000016
【図１１】
2013510980.tif 000017
【図１２】
2013510980.tif 000018
【手続補正書】
【提出日】平成24年7月18日(2012.7.18)
【手続補正１】
【補正対象書類名】明細書
【補正対象項目名】全文
【補正方法】変更
【補正の内容】
【発明の詳細な説明】
【技術分野】
【０００１】
本件は、波運動からエネルギーを抽出するための流体圧装置に関する。
【背景技術】
【０００２】
波運動からエネルギーを抽出するための流体圧装置は、周知である。このような装置の例は、ＣＥＴＯＴＭ技術に対する特許文献１，２に開示されている。これらの文献は、参照することによって、ここに含まれるものとする。
【０００３】
波運動からエネルギーを抽出するための先行技術による流体圧装置は、水域の海床に配置された基部を備えている。軸流流体圧ポンプが、基部に対して枢動することができるように、基部に取り付けられている。ポンプのピストンロッドが、繋ぎ紐によって浮力アクチュエータに連結されている。波運動および浮力アクチュエータの正浮力によって、浮力アクチュエータは、水擾乱の運動に追従し、これによって、上方に押し上げられ、繋ぎ紐に力を加え、流体を加圧によってポンプから一方向弁を介してマニホールドに排出させることになる。波底の通過中、浮力アクチュエータは、ポンプピストンの重量およびポンプ吸入圧からの力によって下降し、浮力アクチュエータの次の上方突上げの準備が整っているポンプに呼び水を差すことになる。
【０００４】
装置は、閉ループモードで運転されるように設計されている。このモードでは、高圧の流体が流体圧ポンプによって陸上に汲み上げられ、エネルギーが有用な仕事として抽出され、減圧した流体が、配管を介して沖合の流体圧ポンプに戻され、再加圧されるようになっている。
【０００５】
代替的な先行技術による流体圧装置は、流体圧ポンプのアレイと、各ポンプのピストンロッドに繋がれた浮力アクチュエータのアレイとを備えている以外は、前述した先行技術の装置と同様である。
【０００６】
前述したような先行技術による装置は、典型的には、特定の場所において、該場所に関連する特定の条件下、例えば、該場所に関連する波浪状態および潮の変動の影響下で運転するように特に適合されている必要がある。これは、通常、特定場所に用いられるように特に設計された標準的でないハードウエアを作製し、このハードウエアを該場所に適する特定の方法によって運転するように構成することを含んでいる。
【０００７】
このような標準的でないハードウエアを設計し、作製する必要性は、低コストで大量生産を達成する製造プロセスを合理化することが困難であることを意味している。
【０００８】
本発明が開発されたのは、この背景技術およびその関連する問題および難題に対してである。
【先行技術文献】
【特許文献】
【０００９】
【特許文献１】国際特許出願第ＰＣＴ／ＡＵ２００６／００１１８７号パンフレット
【特許文献２】国際特許出願第ＰＣＴ／ＡＵ２００７／００１６８５号パンフレット
【発明の概要】
【発明が解決しようとする課題】
【００１０】
本発明の目的は、前述した先行技術の欠点の１つまたは複数を解消するかまたは少なくとも改良し、またはユーザに有用な、または経済的な選択肢をもたらすことにある。
【００１１】
本発明の他の目的および利点は、本発明の好ましい実施形態が例示として開示されている添付の図面と関連させて、以下の説明を読むことによって、明らかになるだろう。
【課題を解決するための手段】
【００１２】
本発明の第１の広い態様によれば、波エネルギーを変換するための閉ループ流体圧装置において、流体を装置内に汲み出すためのポンプであって、チャンバを画定する本体およびチャンバを作用側と止まり側とに仕切るピストンを備えている、ポンプと、ピストンに接続された浮力アクチュエータと、チャンバの作用側に接続された入口であって、流体が入口からチャンバの作用側内に流れることができるようになっている、入口と、チャンバの作用側に接続された出口であって、流体がチャンバの作用側から出口に流れることができるようになっている、出口と、潮流の変動および／または海面状態に応じてポンプの出力を最適化するために、入口および出口における流体の圧力を制御することによって、ポンプを制御するように操作可能な流体圧制御装置と、を備えており、入口および出口における流体の圧力は、制御アルゴリズムに従って制御されるようになっており、制御アルゴリズムは、最適フィルター手法に従って生成されたアルゴリズムの集合から導かれるようになっており、最適フィルターおよび制御アルゴリズムは、
（ｉ）パワーマトリックスを決定するステップと、
（ｉｉ）装置の物理的な設置場所に適用可能な海面状態に対する最もロバストなスペクトルモデルを決定するステップと、
（ｉｉｉ）海面状態スペクトル密度をパワーマトリックスに畳み込み、伝達関数を生成するステップと、
（ｉｖ）伝達関数を時間にわたって積分することによって得られたエネルギー関数の多パラメータ最適化を行うステップと、
（ｖ）エネルギー関数のベクトル空間内に操作点および安定操作領域を画定し、テンプレートを生成するステップと、
（ｖｉ）制御システムの伝達関数を装置の状態変数に適用し、制御アルゴリズムを生成するステップと、
（ｖｉｉ）制御アルゴリズムのシミュレーションを行い、アルゴリズムおよび目標値テンプレートの精度および安定性を検証するステップと、
（ｖｉｉｉ）要求される制御アルゴリズムの空間に代入するのに必要な種々の海面状態に対して、ステップ（ｉ），（ｖｉｉ）を繰り返すステップと、
によって作成されるようになっている、閉ループ流体圧装置が提供されている。
【００１３】
第１の好ましい態様では、流体圧制御装置は、入口流体圧アキュムレータと、入口および入口流体圧アキュムレータのそれぞれに接続された入口流体圧制御弁と、出口流体圧アキュムレータと、出口および出口流体圧アキュムレータのそれぞれに接続された出口流体圧制御弁と、入口および出口のそれぞれに接続されたシーケンス弁と、出口に接続された第１の出口圧力変換器と、出口に接続された流量計と、流量計に接続された比例スロットル弁と、比例スロットル弁に接続された第２の出口圧力変換器と、を備えている。
【００１４】
第２の好ましい形態では、流体圧制御装置は、チャンバの作用側に接続された作用側流体圧アキュムレータと、出口に接続された出口流体圧アキュムレータと、入口に接続された入口流体圧アキュムレータと、出口に接続された出口弁と、入口に接続された入口弁と、出口および入口弁のそれぞれに接続された圧力逃し弁と、入口弁に接続された中間流体圧アキュムレータと、制御システムと、複数のセンサと、を備えており、制御システムは、センサの出力に応じて、出口弁および入口弁を制御するように操作可能になっている。
【００１５】
第３の好ましい形態では、流体圧制御装置は、チャンバの作用側に接続された作用側流体圧アキュムレータと、出口に接続された出口流体圧アキュムレータと、入口に接続された入口流体圧アキュムレータと、出口および入口のそれぞれに接続された圧力逃し弁と、出口に接続された出口弁と、入口に接続された入口弁と、入口弁に接続された中間流体圧アキュムレータと、を備えている。
【００１６】
好ましくは、流体圧制御装置は、出口および入口のそれぞれに接続された別の圧力逃し弁も備えている。
【００１７】
好ましくは、流体圧制御装置は、制御システムと、複数のセンサと、を備えており、制御システムは、センサの出力に応じて、出口弁、入口弁、および圧力逃し弁を制御するように操作可能になっている。
【００１８】
好ましくは、センサは、圧力センサ、温度センサ、および流量センサを含んでいる。
【００１９】
好ましくは、作用側流体圧アキュムレータ、出口流体圧アキュムレータ、入口流体圧アキュムレータ、および中間流体圧アキュムレータのラインにおけるガス充填は、制御アルゴリズムに従って変更可能になっている。
【００２０】
好ましくは、出口弁は、ペルトンホイール用のスピア弁である。
【００２１】
好ましくは、装置は、流体を装置内に汲み出すための複数のポンプと、ポンプのピストンに接続された複数の浮力アクチュエータと、ポンプチャンバの作用側に接続された複数の入口と、ポンプチャンバの作用側に接続された複数の出口と、をさらに備えており、流体圧制御装置は、ポンプチャンバの作用側に接続された複数の作用側流体圧アキュムレータを備えている。
【００２２】
好ましくは、ポンプは、縦に３列を超えないアレイに配置されている。
【００２３】
好ましくは、ポンプは、同一ポンプである。
【００２４】
好ましくは、制御アルゴリズムは、最大積分エネルギーをもたらすように調整されるようになっている。
【００２５】
好ましくは、ステップ（ｉ）は、もし制御アルゴリズムの集合または空間が、機械／装置の状態の変動を含んでいるなら、ステップ（ｖｉｉｉ）の一部として繰り返されるようになっている。
【００２６】
好ましくは、制御アルゴリズムの生成は、学習的である。
【００２７】
好ましくは、最適化は、
（ｉ）パワーマトリックスを決定し、
（ｉｉ）パワーマトリックスおよび波モデルを用いて、制御システム伝達関数を作り、かつ最適化し、
（ｉｉｉ）特定の物理的立地に対するロバストな物理的スペクトルモデルを用いて、伝達関数を物理的立地に対して最適化する、
ことによって達成されるようになっている。
【００２８】
本発明の第２の広い態様によれば、波エネルギーを変換するための閉ループ流体圧装置用の最適フィルターおよび制御アルゴリズムの集合を作成するための方法において、
（ｉ）パワーマトリックスを決定するステップと、
（ｉｉ）装置の物理的な設置場所に適用可能な海面状態に対して最もロバストなスペクトルモデルを決定するステップと、
（ｉｉｉ）海面状態スペクトル密度をパワーマトリックスに畳み込み、伝達関数を生成するステップと、
（ｉｖ）伝達関数を時間にわたって積分することによって得られたエネルギー関数の多パラメータ最適化を行うステップと、
（ｖ）エネルギー関数のベクトル空間内に操作点および安定操作領域を画定し、テンプレートを生成するステップと、
（ｖｉ）制御システムの伝達関数を装置の状態変数に適用し、制御アルゴリズムを生成するステップと、
（ｖｉｉ）制御アルゴリズムのシミュレーションを行い、アルゴリズムおよび目標値テンプレートの精度および安定性を検証するステップと、
（ｖｉｉｉ）要求される制御アルゴリズムの空間に代入するのに必要な種々の海面状態に対して、ステップ（ｉ）−（ｖｉｉ）を繰り返すステップと、
を含んでいる、方法が提供されている。
【００２９】
好ましくは、ステップ（ｉ）は、もし制御アルゴリズムの集合または空間が、機械／装置の状態の変動を含んでいるなら、ステップ（ｖｉｉｉ）の一部として繰り返されるようになっている。
【００３０】
好ましくは、制御アルゴリズムの生成は、学習的である。
【００３１】
好ましくは、最適化は、
（ｉ）パワーマトリックスを決定し、
（ｉｉ）パワーマトリックスおよび波モデルを用いて、システム伝達関数を作り、かつ最適化し、
（ｉｉｉ）特定の物理的立地に対するロバストな物理的スペクトルモデルを用いて、伝達関数を物理的立地に対して最適化する、
ことによって達成されるようになっている。
【００３２】
好ましくは、波エネルギーを変換するための閉ループ流体圧装置は、本発明の第１の広い態様に記載の流体圧装置を含んでいる。
【００３３】
本発明の第３の広い態様によれば、本発明の第１の広い態様に記載された流体圧装置を制御する方法が提供されている。
【００３４】
本発明の第４の広い態様によれば、本発明の第１の広い態様に記載の流体圧装置を制御するための最適フィルターを得るための方法が提供されている。
【００３５】
本発明の第５の広い態様によれば、流体を装置内に汲み出すためのポンプおよび流体の流れを制御するための制御要素を備えている流体圧装置が提供されている。
【００３６】
本発明の第６の広い態様によれば、本発明の第５の広い態様に記載の流体圧装置を制御する方法において、
作動流体を装置内に汲み出すように、装置のポンプを操作するステップと、
流体の流れを制御するように、制御要素を制御するステップと、
を含んでいる、方法が提供されている。
【００３７】
好ましくは、ポンプは、軸流流体圧ポンプである。
【００３８】
好ましくは、制御要素は、出口弁、入口弁、アキュムレータ、および／または圧力逃し弁である。
【００３９】
好ましくは、装置は、出口逆止弁も備えている。
【００４０】
好ましくは、装置は、入口逆止弁を備えている。
【００４１】
好ましくは、装置は、ロッド側／調整側／作用側アキュムレータも備えている。
【００４２】
好ましくは、装置は、止まり側アキュムレータも備えている。
【００４３】
好ましくは、装置は、出口アキュムレータも備えている。
【００４４】
好ましくは、装置は、入口アキュムレータも備えている。
【００４５】
好ましくは、装置は、センサも備えている。
【００４６】
好ましくは、装置は、制御装置も備えている。
【００４７】
好ましくは、装置は、閉ループ流体圧装置である。
【００４８】
好ましくは、流体圧装置は、波運動からエネルギーを抽出し／波エネルギーを変換するためのものである。
【００４９】
本発明の第７の広い態様によれば、波エネルギー装置を制御し、最適化するためのシステムにおいて、流体圧動力を取り出す波エネルギーコンバータを利用する波エネルギーコンバータであって、コンバータは、閉ループモードで操作されるようになっており、閉ループは、高圧の装置出口ラインおよびかなり低圧の入口流体ラインを備えており、閉ループ内を循環する流体は、実質的に水性であり、流体は、エネルギーを陸上に伝達するものであり、流体は、圧力および流量を介してエネルギーを移送するものである、波エネルギーコンバータと、陸上において、タービンまたは圧力交換用エンジンのような流体圧機械装置を介して、作動流体からエネルギーを取り出す手段と、備えているシステムが設けられている。
【００５０】
好ましくは、システムは、陸上および沖合の両方に配置された制御要素を備えている。
【００５１】
好ましくは、制御要素は、陸上側の出口ラインおよび入口ラインにおける圧力および流量を調整する弁と、入口ラインと出口ラインとの間に配置された沖合側圧力逃し弁と、沖合に配置された流体圧アキュムレータと、陸上に配置された流体圧アキュムレータであって、一方が出口ラインに接続されており、他方が入口ラインに接続されている、流体圧アキュムレータと、陸上の入口ラインと出口ラインとの間に配置された圧力逃し弁と、を備えている。
【００５２】
好ましくは、複数の流体圧弁およびアキュムレータ内のガス圧充填を制御するために、制御アルゴリズムが用いられるようになっている。
【００５３】
本発明の第８の広い態様によれば、本発明の第５の広い態様によるシステム用の制御アルゴリズムが提供されている。好ましくは、制御アルゴリズムは、以下の機能の１つまたは複数を行うことができ、または以下の特性の１つまたは複数を有している。
【００５４】
ａ．アキュムレータの容積変動（弁の開閉）によって、拘束ピストン端と非拘束ピストン端との間（これら端を含む）におけるＣＥＴＯＴＭ波エネルギーコンバータ（ＷＥＣ）の機械的剛性を調整すること。「拘束ピストン」は、作動流体が、調整アキュムレータによって許容される程度まで、流体圧回路の内側で移動が拘束されることによって、ピストンの運動が最小限に抑えられている状態を指しており、「非拘束ピストン」は、入口回路と出口回路との間で流体が自在に流れ、ピストンがその自重および加えられる外力の影響によって自在に運動する状態を指している。
【００５５】
ｂ．ＣＥＴＯの場合、潮流によって生じるような水深の緩慢な変動に適応するように、ポンプのピストンの基準位置を調整すること。
【００５６】
ｃ．近接波測定装置からのリアルタイム入力値に従って、ＷＥＣ装置の制御要素を調整すること。このような装置は、海面状態を定める瞬間的な波高さ（Ｈ）、瞬間的な波周期（Ｔ）、瞬間的な波拡散（θ）、および任意の他の関連パラメータを記録し、このデータをリアルタイムでアルゴリズムにもたらすようになっているとよい。
【００５７】
ｄ．ｃ）において、動力Ｐが瞬間的な最大値になるように、設定値を調整すること。
【００５８】
ｅ．ｃ）において、動力Ｐが瞬間的な最小値になるように、設定値を調整すること。もし保守または検査が行われている場合、このような条件が望ましい。
【００５９】
ｆ．ｃ）において、Ｐが確率ｐｍで最小値Ｐｍを超えるように、設定値を調整すること。
【００６０】
ｇ．事前設定テンプレートＦを適用し、時間間隔τにおいてＷＥＣによって送達される全動力を最大にするように、制御要素）の値を規制すること。
【００６１】
ｈ．時間間隔τは、観測上の基準時点τεの秒から分、時間の範囲内における変数であるとよい。例えば、標準的な沖合の実行時間は、連続的な不規則海面状態の場合、２０分であり、激しい海面状態の場合、３時間である、
【００６２】
ｉ．各観測時点τεは、アルゴリズムＡの設定操作点およびアルゴリズムＡによって行われる制御の範囲を定める特有テンプレートＦεに関連付けられている。
【００６３】
ｊ．制御アルゴリズムＡは、ｉ）の一連のテンプレートＦεを含んでいるとよい。各テンプレートは、協働して、任意の観測時点の最短時間と最長時間との間における最適エネルギー出力Ｅｍａｘをもたらすことになる。すなわち、アルゴリズムＡは、常に、最大積分エネルギーＥｍａｘをもたらすように調整されるようになっている。
【数１】
2013510980.tif 000019
【００６４】
ｋ．特定のアルゴリズムＡは、以下の条件の１つまたは複数に特有である成分を含むアルゴリズムの集合Ａｉから導かれるようになっているとよい。
ｉ．特定の幾何学的な場所；
ｉｉ．特定の水深および海底地形；
ｉｉｉ．特定類別の波活動、例えば、強力な波活動、沖合の波活動、穏やかな波活動、沿岸の波活動、またはこれらの組合せ；
ｉｖ．特定の季節、例えば、冬、夏；
ｖ．ＷＥＣの特定の構成；
ｖｉ．同時係属中のＣＥＴＯＴＭ特許出願に記載されているようなエネルギー緩和機構を含むＷＥＣの特定の物理的構成；
ｖｉｉ．ＷＥＣの老朽化、状態、運転歴に対応するＷＥＣの特定の物理的状態；
ｖｉｉｉ．ＷＥＣの構成における任意の他の変動；
ｉｘ．年間の支配的な海面状態（例えば、西オーストラリアの湾岸から離れたガーデン島の現場は、６〜８つの支配的な海面状態を有している）；および
ｘ．特定の安全／緊急条件。
【００６５】
本発明の第９の広い態様によれば、本発明の第７，８の態様のいずれか１つに記載の閉ループシステムをなす、入口配管および出口配管の共通の組に一緒に並列に接続されたＷＥＣのアレイを備えているシステムが提供されている。
【００６６】
本発明の第１０の広い態様によれば、アルゴリズムＡの最適化が、波拡散にも影響されるようになっている、本発明の第９の広い態様に記載のシステムが提供されている。アルゴリズムＡｉおよびテンプレートＦεは、単一ＷＥＣのものとは実質的に異なっている。多重ユニットのアルゴリズムが単一ユニットのアルゴリズムと大きく異なっている点は、ユニット間の流体圧的相互作用であることに留意されたい。
【００６７】
本発明の第１１の広い態様によれば、アルゴリズムＡｉが最適フィルター方式によって作成されるようになっている、本発明の第７〜１０の広い態様のいずれか１つに記載のシステムが提供されている。
【００６８】
本発明の第１２の広い態様によれば、
チャンバを画定する本体およびチャンバを作用側と止まり側に仕切るピストンを備えている流体圧ポンプと、
チャンバの止まり側に接続された止まり側流体圧アキュムレータと、
を備える流体圧装置が提供されている。
【００６９】
好ましくは、止まり側流体圧アキュムレータは、チャンバの止まり側に並列に接続されている。代替的に、止まり側流体圧アキュムレータは、チャンバの止まり側に直列に接続されている。好ましくは、装置は、止まり側流体圧アキュムレータとチャンバの止まり側とを備える閉鎖された止まり側流体圧回路も備えている。
【００７０】
好ましくは、装置は、止まり側流体圧アキュムレータとチャンバの止まり側との間に流れることができる流体も含んでいる。好ましくは、流体は、高潤滑流体である。好ましくは、流体は、低粘度流体である。
【００７１】
好ましくは、装置は、ピストンに固定された止まり側機械的緩衝装置も備えている。好ましくは、止まり側機械的緩衝装置は、弾性的緩衝装置である。代替的に、止まり側機械的緩衝装置は、バネである。
【００７２】
好ましくは、装置は、ピストンに固定された作用側機械的緩衝装置も備えている。好ましくは、作用側機械的緩衝装置は、弾性的緩衝装置である。代替的に、作用側機械的緩衝装置は、バネである。
【００７３】
好ましくは、装置は、チャンバの作用側に接続された作用側流体圧アキュムレータも備えている。好ましくは、作用側流体圧アキュムレータは、チャンバの作用側に並列に接続されている。代替的に、作用側流体圧アキュムレータは、チャンバの作用側に直列に接続されている。
【００７４】
好ましくは、装置は、チャンバの作用側に接続された出口逆止弁および出口逆止弁に並列に接続された入口逆止弁も備えている。いくつかの実施形態では、入口逆止弁は、チャンバの止まり側に接続されている。好ましくは、装置は、出口逆止弁に並列に接続された出口流体圧アキュムレータも備えている。好ましくは、装置は、入口逆止弁に並列に接続された入口流体圧アキュムレータも備えている。
【００７５】
好ましくは、装置は、流体圧インターフェースユニットも備えており、該流体圧インターフェースユニットは、出口逆止弁、入口逆止弁、出口流体圧アキュムレータ、および入口流体圧アキュムレータを備えている。好ましくは、流体圧インターフェースユニットは、止まり側流体圧アキュムレータも備えている。好ましくは、流体圧インターフェースユニットは、作用側流体圧アキュムレータも備えている。好ましくは、流体圧インターフェースユニットは、圧力逃し弁も備えている。
【００７６】
好ましくは、装置は、出口逆止弁および入口逆止弁のそれぞれに接続された流体圧制御装置も備えている。好ましくは、流体圧制御装置は、圧力逃し弁を備えている。好ましくは、装置は、流体圧制御装置を出口逆止弁に接続する高圧パイプラインと、流体圧制御装置を入口逆止弁に接続する低圧パイプラインとを備えている。好ましくは、装置は、流体圧制御装置に接続された流体圧負荷も備えている。
【００７７】
好ましくは、装置は、閉ループ流体圧装置である。
【００７８】
好ましくは、装置は、波運動からエネルギーを抽出し／波エネルギーを変換するためのものである。特定の好ましい形態では、装置は、ピストンに縛られた浮力アクチュエータも備えている。
【００７９】
本発明の第１３の広い態様によれば、
チャンバを画定する本体およびチャンバを作用側と止まり側とに仕切るピストンを備える流体圧ポンプと、
チャンバの作用側に接続された作用側流体圧アキュムレータと、
を備える流体圧装置が提供されている。
【００８０】
好ましくは、作用側流体圧アキュムレータは、チャンバの作用側に並列に接続されている。代替的に、作用側流体圧アキュムレータは、チャンバの作用側に直列に接続されている。
【００８１】
好ましくは、装置は、ピストンに固定された作用側機械的緩衝装置も備えている。好ましくは、作用側機械的緩衝装置は、弾性的緩衝装置である。代替的に、作用側機械的緩衝装置は、バネである。
【００８２】
好ましくは、装置は、ピストンに固定された止まり側機械的緩衝装置も備えている。好ましくは、止まり側機械的緩衝装置は、弾性的緩衝装置である。代替的に、止まり側機械的緩衝装置は、バネである。
【００８３】
好ましくは、装置は、止まり側流体圧アキュムレータも備えている。好ましくは、止まり側流体圧アキュムレータは、チャンバの止まり側に並列に接続されている、代替的に、止まり側流体圧アキュムレータは、チャンバの止まり側に直列に接続されている。好ましくは、装置は、止まり側流体圧アキュムレータとチャンバの止まり側とを備える閉鎖された止まり側流体圧回路も備えている。
【００８４】
好ましくは、装置は、止まり側流体圧アキュムレータとチャンバの止まり側との間を流れることができる流体も含んでいる。好ましくは、流体は、高潤滑流体である。好ましくは、流体は、低粘度流体である。
【００８５】
好ましくは、装置は、チャンバの作用側に接続された出口逆止弁および出口逆止弁に並列に接続された入口逆止弁も備えている。いくつかの実施形態では、入口逆止弁は、チャンバの止まり側に接続されているとよい。好ましくは、装置は、出口逆止弁に並列に接続された出口流体圧アキュムレータも備えている。好ましくは、装置は、入口逆止弁に接続された入口流体圧アキュムレータも備えている。
【００８６】
好ましくは、装置は、流体圧インターフェースユニットも備えており、該流体圧インターフェースユニットは、出口逆止弁、入口逆止弁、出口流体圧アキュムレータ、および入口流体圧アキュムレータを備えている。好ましくは、流体圧インターフェースユニットは、止まり側流体圧アキュムレータも備えている。好ましくは、流体圧インターフェースユニットは、作用側流体圧アキュムレータも備えている。好ましくは、流体圧インターフェースユニットは、圧力逃し弁も備えている。
【００８７】
好ましくは、装置は、出口逆止弁および入口逆止弁のそれぞれに接続された流体圧制御装置も備えている。好ましくは、流体圧制御装置は、圧力逃し弁を備えている。好ましくは、装置は、流体圧制御装置を出口逆止弁に接続する高圧パイプラインおよび流体圧制御装置を入口逆止弁に接続する低圧パイプラインも備えている。好ましくは、装置は、流体圧制御装置に接続された流体圧負荷も備えている。
【００８８】
好ましくは、装置は、閉ループ流体圧装置である。
【００８９】
好ましくは、装置は、波運動からエネルギーを抽出し／波エネルギーを変換するためのものである。特定の好ましい形態では、装置は、ピストンに縛られた浮力アクチュエータも備えている。
【００９０】
本発明の第１４の広い態様によれば、流体を装置内に循環させるための流体圧ポンプと装置を制御するための流体圧制御装置とを備える流体圧装置が提供されている。
【００９１】
好ましくは、流体圧ポンプは、チャンバを画定する本体およびチャンバを作用側と止まり側とに仕切るピストンを備えている。
【００９２】
好ましくは、装置は、チャンバの止まり側に接続された止まり側流体圧アキュムレータを備えている。好ましくは、止まり側流体圧アキュムレータは、チャンバの止まり側に並列に接続されている。代替的に、止まり側流体圧アキュムレータは、チャンバの止まり側に直列に接続されている。好ましくは、装置は、止まり側流体圧アキュムレータとチャンバの止まり側とを備える閉鎖された止まり側流体圧回路も備えている。
【００９３】
好ましくは、装置は、止まり側流体圧アキュムレータとチャンバの止まり側との間に流れることができる流体も備えている。好ましくは、流体は、高潤滑流体である。好ましくは、流体は、低粘度流体である。
【００９４】
好ましくは、装置は、ピストンに固定された止まり側機械的緩衝装置も備えている。好ましくは、止まり側機械的緩衝装置は、弾性的緩衝装置である。代替的に、止まり側機械的緩衝装置は、バネである。
【００９５】
好ましくは、装置は、ピストンに固定された作用側機械的緩衝装置も備えている。好ましくは、作用側機械的緩衝装置は、弾性的緩衝装置である。代替的に、作用側機械的緩衝装置は、バネである。
【００９６】
好ましくは、装置は、チャンバの作用側に接続された作用側流体圧アキュムレータも備えている。好ましくは、作用側流体圧アキュムレータは、チャンバの作用側に並列に接続されている。代替的に、作用側流体圧アキュムレータは、チャンバの作用側に直列に接続されている。
【００９７】
好ましくは、装置は、チャンバの作用側に接続された出口逆止弁および出口逆止弁に並列に接続された入口逆止弁も備えている。いくつかの実施形態では、入口逆止弁は、チャンバの止まり側に接続されているとよい。好ましくは、装置は、出口逆止弁に並列に接続された出口流体圧アキュムレータも備えている。好ましくは、装置は、入口逆止弁に並列に接続された入口流体圧アキュムレータも備えている。
【００９８】
好ましくは、装置は、流体圧インターフェースも備えている。該流体圧インターフェースユニットは、出口逆止弁、入口逆止弁、出口流体圧アキュムレータ、および入口流体圧アキュムレータを備えている。好ましくは、流体圧インターフェースユニットは、止まり側流体圧アキュムレータも備えている。好ましくは、流体圧インターフェースユニットは、作用側流体圧アキュムレータも備えている。
【００９９】
好ましくは、流体圧制御装置は、アルゴリズムに従って装置を制御することができるようになっている。
【０１００】
好ましくは、流体圧制御装置は、出口逆止弁および入口逆止弁に接続されている。好ましくは、装置は、流体圧制御装置を出口逆止弁に接続する高圧パイプラインおよび流体圧制御装置を入口逆止弁に接続する低圧パイプラインも備えている。
【０１０１】
好ましくは、装置は、流体圧負荷を備えている。好ましくは、負荷は、タービンを含んでいる。好ましくは、タービンは、ペルトンタービンである。
【０１０２】
好ましくは、装置は、閉ループ流体圧装置である。
【０１０３】
好ましくは、装置は、波運動からエネルギーを抽出し／波エネルギーを変換するためのものである。特定の好ましい形態では、装置は、ピストンに縛られた浮力アクチュエータも備えている。
【０１０４】
本発明がさらに十分に理解され、実施されるために、以下、添付の図面を参照して、本発明の好ましい実施形態について説明する。
【図面の簡単な説明】
【０１０５】
【図１】流体圧装置の第１の好ましい実施形態の概略図である。
【図２】流体圧装置の第２の好ましい実施形態の概略図である。
【図３】流体圧装置の軸流流体圧ポンプの側断面を含む、図１，２に示されている流体圧装置の一部のさらなる詳細を示す概略図である。
【図４】流体圧装置の軸流流体圧ポンプの側断面を含む、流体圧装置の第３の好ましい実施形態の概略図である。
【図５】流体圧装置の第４の好ましい実施形態の側断面図である。
【図６】流体圧装置の軸流流体圧ポンプの側断面を含む、流体圧装置の第５の好ましい実施形態の概略図である。
【図７】流体圧装置の軸流流体圧ポンプの側断面を含む、流体圧装置の第６の好ましい実施形態の概略図である。
【図８】流体圧装置の軸流流体圧ポンプの側断面を含む、流体圧装置の第７の好ましい実施形態の概略図である。
【図９】図８に示されている流体圧装置の流体圧計測制御システムおよびバッテリ充電システムを示す概略図である。
【図１０】図８，９に示されている装置のような流体圧装置の種々の吸入圧および吐出圧の範囲に対するピストン排出量の範囲を示すグラフである。
【図１１】流体圧装置の軸流流体圧ポンプの側断面を含む、流体圧装置の第８の好ましい実施形態の概略図である。
【図１２】流体圧装置の第９の好ましい実施形態の概略図である。
【発明を実施するための形態】
【０１０６】
図１−３を参照すると、波運動からエネルギーを抽出し／波エネルギーを変換するための閉ループ流体圧装置３０は、軸流流体圧ポンプ３１を備えており、該ポンプ３１は、チャンバ３３を画定するポンプ本体３２を備えている。ポンプ本体３２は、側壁３４を備えている。側壁３４は、上壁３５によって閉鎖された上端、および底壁３６によって閉鎖された下端を有している。底壁３６は、基部３７に取り付けられるように構成されている。
【０１０７】
ピストン３８は、チャンバ３３をロッド側または作用側３９と止まり側４０とに仕切るように、かつチャンバ３３内において前後に摺動することができるように、チャンバ３３内に収容されている。ピストン３８と側壁３４との間の（図示されていない）シールによって、流体がピストン３８を超えて作用側３０と止まり側４０との間に流れることが阻止されている。理想的には、チャンバ３３の作用側３９および止まり側４０は、ポンプ３１の側壁３４に対する可動ピストン３８の完全なシールによって、ポンプ３１内において連通しないようになっている。２つのチャンバ間のいくらかの漏れは、シール摩耗として許容されることもある。
【０１０８】
作用側の機械的緩衝装置４１は、チャンバ３３の作用側３９に位置するように、ピストン３８に固定されている。止まり側の機械的緩衝装置４２は、チャンバ３３の止まり側４０に位置するように、ピストン３８に固定されている。
【０１０９】
ピストンロッド４３は、ピストン３８と共にポンプ本体３２に対して前後に移動することができるように、ピストン３８から本体３２の上壁３５の開口を通って延在している。（図示されていない）シールによって、流体が該開口を通ってチャンバ３３から漏出しないように阻止されている。
【０１１０】
浮力アクチュエータ４４が、繋ぎ紐４５によって、ピストンロッド４３の上端に接続されている。
【０１１１】
装置３０は、止まり側流体圧回路４６も備えている。流体圧回路４６は、チャンバ３３の止まり側４０および止まり側流体圧アキュムレータ４７を備えている。回路４６は、閉じており、流体は、チャンバ３３の止まり側４０とアキュムレータ４７との間のみで交換されることになる。アキュムレータ４７は、流体がアキュムレータ４７とチャンバ３３の止まり側４０との間で流れることができるようにするために、ホース４８によってチャンバ３３の止まり側４０に接続されている。ピストン止めリングによるポンプ口の障害物によって影響される緩衝区域以外は、止まり側流体圧アキュムレータ４７には、常時、最小限のインピーダンスしかもたらされていない。
【０１１２】
止まり側回路４６内の流体は、標準的に用いられる流体とガスとの混合物を含んでいる。アキュムレータ４７は、ここでは、純粋にリザーバであり、理想的にはどのような緩衝をもたらすものでもない。
【０１１３】
止まり側回路４６内の流体は、低粘度流体であるとよい。多くのピストンアキュムレータと同じように、止まり側が、流体と比較して流体力学的損失の低い窒素のようなガスによって、完全に充填されていてもよい。これによって、アキュムレータのコストを著しく低減させ、アキュムレータを小形化することができるという利点も得られる。
【０１１４】
止まり側回路４６内の流体は、高潤滑性、すなわち、高潤滑能力を有する流体を含んでいてもよい。この潤滑によって、ピストンシールの寿命を改良することができる。また、（図示されていないが）、この流体を用いて、ロッドシールを毛細管を介して潤滑することもできる。潤滑流体の必要量が比較的少ないので、追加的なコストは、保守および停止時間の節約によって、相殺されるだろう。
【０１１５】
装置３０は、ホース５０によってチャンバ３３の作用側３９に接続された出口逆止弁４９も備えており、これによって、流体は、チャンバ３３から弁４９を通って、矢印「Ａ」によって示されている方向に流れることができる。入口逆止弁５１が、出口逆止弁４９およびホース５０に並列に接続されており、これによって、流体は、矢印「Ｂ」によって示されている方向に沿って、弁５１を通ってチャンバ３３内に流れることができる。
【０１１６】
出口流体圧アキュムレータ５２が、出口逆止弁４９に並列に接続されている。入口流体圧アキュムレータ５３が、入口逆止弁５１に並列に接続されている。
【０１１７】
図１を特に参照すると、使用時に、装置３０の一部は、水面５５および平均潮位５６を有する海または海洋のような沖合の水域５４に配置されている。流体圧ポンプ３１は、水域５４の海床５７に載置された基部３７に固定されている。ポンプ３１は、基部３７に対して枢動することができるように、基部３７に固定されている。逆止弁４９，５１およびアキュムレータ４７，５２，５３は、沖合に位置する流体圧インターフェースユニット５８内に配置されている。流体圧インターフェースユニット５８の高圧出口は、高圧パイプラインによって陸上プラント５９の高圧入口に接続されており、流体圧インターフェースユニット５８の低圧入口は、低圧パイプラインによって陸上プラントの低圧出口に接続されている。
【０１１８】
浮力アクチュエータ４４は、水域５４内に置かれている。従って、水域５４の波運動およびアクチュエータ４４の正浮力によって、アクチュエータ４４は、波擾乱の運動に追従し、上方に押され、繋ぎ紐４５に力を加え、次いで、繋ぎ紐４５がピストン３８をチャンバ３３内においてポンプ本体３２の上壁３５に向かって上方に移動させることになる。ピストン３８が上方に移動すると、チャンバ３３の作用側３９の流体が、チャンバ３３からホース５０および出口逆止弁４９を通って矢印Ａによって示されている方向に押し出されることになる。
【０１１９】
出口逆止弁４９を通って汲み出された流体のエネルギーの一部は、出口アキュムレータ５２内に貯蔵されるようになっている。出口アキュムレータ５２は、（出口逆止弁４９およびアキュムレータ５２が一部をなしている）閉ループ流体圧回路の高圧区域を通る流体の流れを平滑化するように機能する。流体は、回路の残りを巡回し、その後、矢印Ｂによって示されている方向に沿って、回路の別の分岐を通ってポンプ３１に還流するようになっている。
【０１２０】
ピストン３８がチャンバ３３内において上方に移動すると、閉鎖されている止まり側流体圧回路４６内の流体が、アキュムレータ４７からホース４８を通ってチャンバ３３の止まり側４０内に移動することになる。回路４６内の流体は、高潤滑かつ低粘度の流体である。
【０１２１】
作用側の機械的緩衝装置４１は、ピストン３８の上昇ストローク中にピストン３８およびポンプ本体３２が損傷するのを阻止するために、ピストン３８がポンプ本体３２の上壁３５に達すると、該ピストン３８の運動を緩衝するようになっている。特に、作用側の機械的緩衝装置４１は、上昇ストローク中にポンプ３１および繋ぎ紐４５に加えられる衝撃荷重を低減することになる。
【０１２２】
波底が装置３０上を通過する最中に、浮力アクチュエータ４４は、ピストン３８の重量によって落下し、流体の力が、閉じた流体圧回路内に流れ、矢印Ｂの方向に沿って入口逆止弁５１およびホース５０を貫流することによって、チャンバ３３の作用側３９に戻ることになる。還流する流体のエネルギーの一部が、入口アキュムレータ５３内に貯蔵されるようになっている。入口アキュムレータ５３は、閉ループ流体圧回路の低圧区域を通る流体の流れを平滑化するように機能する。
【０１２３】
ピストン３８がチャンバ３３内において下方に移動すると、チャンバ３３の止まり側４０内の高潤滑かつ低粘度の流体が、チャンバ３３からホース４８を通ってアキュムレータ４７に戻ることになる。理想的には、アキュムレータ４７は、どのような流体圧緩衝をもたらすことなく、単純にリザーバとして機能する。
【０１２４】
止まり側の機械的緩衝装置４２は、下降ストローク中にピストン３８およびポンプ本体３２が損傷するのを阻止するために、ピストン３８がポンプ本体３２の底壁３６に到達したとき、該ピストン３８の運動を緩衝する。特に、止まり側の機械的緩衝装置４２は、下降ストローク中にポンプ３１および繋ぎ紐４５に加えられる衝撃荷重を低減することになる。
【０１２５】
このサイクルは、波頂および波底が装置３０を通り過ぎるたびに、繰り返されることになる。
【０１２６】
図２を特に参照すると、装置３０は、流体圧インターフェースユニット５８に接続されたポンプ３１と浮力アクチュレータ４４とのアレイを備えていてもよい。
【０１２７】
図４を参照すると、波運動からエネルギーを抽出し／波エネルギーを変換するための流体圧装置６０は、装置３０と類似している。従って、装置６０，３０の同様の特徴部には、同様の参照番号が付されている。
【０１２８】
装置６０は、ホース５０によってチャンバ３３の作用側３９に並列に接続された作用側流体圧アキュムレータ６１も備えているという点において、装置３０と異なっている。従って、装置６０では、流体がチャンバ３３と作用側流体圧アキュムレータ６１との間に流れることができる。
【０１２９】
さらに、装置６０は、流体圧インターフェースユニット６２を備えている。インターフェースユニット６２は、止まり側流体圧アキュムレータ４７、出口逆止弁４９、入口逆止弁５１、出口流体圧アキュムレータ５２、入口流体圧アキュムレータ５３、および作用側流体圧アキュムレータ６１を備えている。
【０１３０】
流体圧インターフェースユニット６２は、出口６３および入口６４を備えている。
【０１３１】
装置６０の操作は、アキュムレータ６１が上昇ストローク中のピストン３８を流体的に緩衝し、作用側の機械的緩衝装置４１によってもたらされる機械的な緩衝を増強させる点を除けば、装置３０の操作と実質的に同じである。
【０１３２】
流体圧インターフェースユニット６２は、装置６０のポンプ３１および浮力アクチュエータ４４と共に、沖合に配置されている。
【０１３３】
図５を参照すると、波運動からエネルギーを抽出し／波エネルギーを変換するための流体圧装置７０は、軸流流体圧ポンプ７１を備えており、該ポンプ７１は、チャンバ７３を画定するポンプ本体７２を備えている。ポンプ本体７２は、上壁７５によって閉鎖された上端を有する側壁７４を備えている。側壁７４の上部７６は、側壁７４の下部７７よりも厚くなっており、これによって、チャンバ７３の上部分７８は、チャンバ７３の下部分７９よりも狭くなっている。側壁７４の上部７６は、上側ポート８０および下側ポート８１を備えている。
【０１３４】
ピストン８２は、チャンバ７３を作用側８３と止まり側８４とに仕切るように、かつチャンバ７３内において前後に摺動することができるように、チャンバ７３内に収容されている。ピストン８２は、上部８５およびより広い下部８６を備えている。ピストン８２の下部と違って、ピストン８２の上部８５は、図５に示されているように、チャンバ７３の上部分７８内に収容されるように十分に狭くなっている。凹縁８７が、ピストン８２の上部８５の上側周囲に沿って延在している。凹縁８７は、垂直面８８および下方傾斜面８９を備えている。凹縁８７は、ピストン８２が上側ポート８０を完全に覆うことを阻止するものである。
【０１３５】
ピストン８２と側壁７４との間のシール９０によって、流体がピストン８２を超えて作用側８３と止まり側８４との間に流れるのが阻止されている。
【０１３６】
ピストンロッド９１が、ピストン８２と共に本体７２に対して前後に移動することができるように、ピストン８２からポンプ本体７２の上壁７５の開口を通って延在している。シール９２によって、流体が上壁７５の開口を通ってチャンバ７３から漏出するのが阻止されている。
【０１３７】
作用側流体圧アキュムレータ９３は、流体がチャンバ７３の作用側８３と作用側流体圧アキュムレータ９３との間で前後に自由に流れることができるようにするために、ホース９４によって上側ポート８０に接続されている。
【０１３８】
ホース９５が下側ポート８１に接続されている。高圧流体が、チャンバ７３から下側ポート８１およびホース９５を通って、矢印「Ａ」によって示されている方向に流出することができ、低圧流体が、矢印「Ｂ」に示されている方向に沿って、下側ポート８１およびホース９５を通ってチャンバ７３に流入することができる。
【０１３９】
図６を参照すると、波運動からエネルギーを抽出し／波エネルギーを変換するための閉ループ流体圧装置１００は、ペルトンタービン１０１を含む流体圧負荷を備えている。この負荷は、タービン１０１によって駆動される（図示されない）発電機を含んでいてもよい。
【０１４０】
装置１００は、流体圧ポンプ３１を備える装置６０も備えている。ポンプ３１は、流体を装置１００内に汲み出すように作動され、これによって、タービン１０１を駆動することになる。
【０１４１】
流体圧制御装置１０２は、ポンプ３１によって装置１００内に汲み出される流体を制御するようになっている。特に、制御装置１０２は、装置１００の高圧区域および低圧区域における流体の圧力および流量を制御するようになっている。
【０１４２】
制御装置１０２の入口１０３は、高圧パイプライン１０４によって、流体圧インターフェースユニット６２の出口６３に接続されている。制御装置１０２の出口１０５は、高圧パイプライン１０７によって、タービン１０１の入口１０６に接続されている。タービン１０１の出口１０８は、低圧パイプライン１１０によって、制御装置１０２の入口１０９に接続されている。制御装置１０２の出口１１１は、低圧パイプライン１１２によって、流体圧インターフェースユニット６２の入口６４に接続されている。
【０１４３】
図６に示されている装置１００のような閉ループ装置を用いて、完全に閉鎖したポンプ制御をもたらすことができる。力の入力およびポンプ排出によって、陸上側の流体圧制御システムならびに沖合側の波エネルギー装置３１および流体圧インターフェースユニット６２の操作を管理するために、制御アルゴリズムが実装されている。この制御アルゴリズムは、出力（排水）を最大にするのみならず、ポンプストロークの上端および下端の衝撃を低減させるように、入口ポンプ圧力および出口ポンプ圧力を管理することができる。このアルゴリズムは、プラントの動力出力を改良すると共に、ポンプ３１の損傷／摩耗を低減するようになっている。また、この方法は、ポンプストロークが潮差を含むほど十分長い場合、潮の運動を補償することも可能である。
【０１４４】
装置１００は、潮の変動に応じて、水柱内の浮力アクチュエータの平均水位に対する静止位置を一定に保持するべきである。これは、閉ループ制御構成によって達成することができる。
【０１４５】
制御アルゴリズムは、現地位置に特有のものとされ、局部的な波の形態および潮差に関する情報を含んでおり、現地における波エネルギーコンバータの最適操作をもたらすようになっている。例えば、波エネルギーコンバータは、西オーストラリアの沿岸、欧州の区域、および一部のフランス海外領に配備されている。これらの場所のいずれもが、異なる潮差および異なる波統計を有している。現地に特有なものとなるように適合された制御アルゴリズムを用いることによって、同一の汎用プラントおよび陸上ハードウエハをそれぞれの現地に最適に配備することが可能である。
【０１４６】
さらに、制御アルゴリズムは、浮力アクチュエータの浮力の人工的制御、すなわち、疑似制御を可能にする。これは、浮力アクチュエータ４４の物理的な浮力を人工的に低減するように、ポンプ入口圧を管理することによって、達成される。これによって、より小さい波浪状態中に浮力アクチュエータ４４の操作（下向き運動）を可能にするという利点が得られる。出口圧は、浮力アクチュエータの有効浮力を変更できない。しかし、同様の方法によって、ある波浪状態の範囲内における操作（上向き運動）を確実にするように、該出口圧を管理することができる。
【０１４７】
加えて、制御アルゴリズムによって、ある程度の流体圧による「引張力（stretch）」を繋ぎ紐の伝達機能に組み入れることができる。装置１００の必要な剛性特性は、通常、機械的な繋ぎ紐の引張力だけでは達成できないが、流体圧回路内のアキュムレータを用いることによって、流体圧による「引張力」をもたらし、必要な剛性特性を達成することができる。
【０１４８】
装置１００は、緩衝性エネルギー回復をもたらすことができる。装置１００のアキュムレータを用いて、ピストン運動の緩衝位相中に緩衝エネルギーの一部を吸収することができ、後続の作動流体による吸収を行うために、このエネルギーをシステムに戻すことができる。
【０１４９】
前述の特徴の各々は、装置１００に個別に適用されてもよいし、または漸次的に適用されてもよい。
【０１５０】
また、前述の特徴の各々は、波運動からエネルギーを抽出するための流体圧装置以外の流体圧装置または流体圧システムに適用されてもよい。例えば、これらの特徴は、
１．流体圧ポンプへの可変力の入力、
２．流体圧ポンプの過激な運動による損傷の可能性、および
３．システム内で補償されねばならない長期の摩耗または漏れ
が存在する流体圧装置または流体圧システムに適用可能である。
【０１５１】
図７を参照すると、波運動からエネルギーを抽出し／波エネルギーを変換するための閉ループ流体圧装置１２０は、軸流流体圧ポンプ１２１を備えており、該ポンプ１２１は、チャンバ１２３を画定するポンプ本体１２２を備えている。ポンプ本体１２２は、側壁１２４を備えている。側壁１２４は、上壁１２５によって閉鎖された上端および底壁１２６によって閉鎖された下端を有している。底壁１２６は、（図示されない）基部に取り付けられるように構成されている。
【０１５２】
ピストン１２７は、チャンバ１２３を作用側１２８と止まり側１２９とに仕切るように、かつチャンバ１２３内において前後に摺動することができるように、チャンバ１２３内に収容されている。ピストン１２７と側壁１２４との間の（図示されない）シールによって、流体がピストン１２７を超えて作用側１２８と止まり側１２９との間に流れるのが阻止されている。  
【０１５３】
ピストンロッド１３０は、ピストン１２７と共に本体１２２に対して前後に移動することができるように、ピストン１２７からポンプ本体１２２の上壁１２５の開口を通って延在している。（図示されない）シールによって、流体が該開口を通ってチャンバ１２３から漏出するのが阻止されている。
【０１５４】
出口逆止弁１３１が、迅速継手１３２を介してチャンバ１２３の作用側１２８に接続されている。入口逆止弁１３３が、迅速継手１３２を介して作用側１２８に並列に接続されている。入口逆止弁１３３は、迅速継手１３４によって、チャンバ１２３の止まり側１２９にも並列に接続されている。シーケンス弁１３５が、出口逆止弁１３１および入口逆止弁１３３に並列に接続されている。
【０１５５】
流体圧制御弁１４０が、出口流体圧アキュムレータ１４１に直列に接続されている。流体圧制御弁１４０は、出口逆止弁１３１およびシーケンス弁１３５に並列に接続されている。
【０１５６】
流体圧制御弁１４２が、入口流体圧アキュムレータ１４３に直列に接続されている。流体圧制御弁１４２は、シーケンス弁１３５に並列に接続されている。
【０１５７】
圧力変換器１４４が、装置１２０の高圧区域の圧力を検出し、流量計１４５が装置１２０の高圧区域の流体の流量を測定するようになっている。
【０１５８】
比例スロットル弁１４６が、流量計１４５に直列に接続されており、圧力変換器１４７が比例スロットル弁１４６から流出した流体の圧力を測定するようになっている。
【０１５９】
比例スロットル弁１４６から流出した流体がタービン１４８を駆動し、該タービンが冷却器用の水ポンプ１４９を駆動するようになっている。
【０１６０】
タービン１４８から流出した低圧流体は、水ポンプ１５０を駆動し、ポンプ１２１に戻る流体を冷却するようになっており、シーケンス弁１３５に並列に接続された逆止弁１５１を通過するようになっている。
【０１６１】
弁１４０，１４２、圧力変換器１４４，１４７、流量計１４５、比例スロットル弁１４６、およびシーケンス弁１３５は、装置１２０の操作を制御するための制御装置または制御システムの一部をなしている。
【０１６２】
装置１２０は、エネルギーを漏出させるようになっているとよい。すなわち、装置１２０は、過剰エネルギーを消失するようになっているとよい。例えば、もしタービン１４８が配電網に接続された発電機を駆動しており、この配電網が故障した場合、装置１２０は、タービン１４８を回転するためにエネルギーを用いるよりはむしろ該エネルギーを消失するようになっているとよい。エネルギーは、ポンプチャンバ１２３内の圧力が低くなるように装置１２０を運転することによって、または水を機械的に加熱し、ポンプ１２１が位置する水域をヒートシンクとして用いることによって、消失されるとよい。シーケンス弁１３５が、タービン１４８をバイパスするように操作されてもよい。
【０１６３】
装置３０，６０，７０，１００，１２０の閉ループ運転によって、本明細書に記載されている技術革新の多くが可能になる。
【０１６４】
重要なことは、これらの装置の閉ループモードの運転によって、普遍化または標準化されたハードウエア一式を世界中の多くの異なる場所において用いることが可能になり、かつ各装置の応答をリアルタイムで能動的に調整するか、または事前に調整し、異なる波浪条件に適応させ、潮の変動に対応させ、最も一般的には、種々の場所における広範囲の予想運転状況に適応させることが可能になることである。
【０１６５】
ポンプ、浮力アクチュエータ、縛り紐、および流体圧機器の普遍化または標準化されたシステムまたは集合体を有する利点は、このような機器の製造が、無駄をなくし、大量に、従って低コストで達成される点にある。各組の機器は、現地に配備される時に、閉ループ流体圧システムに有効な制御アルゴリズムを介して、最適化することができる。現地ごとに、該現地の波浪動力学および潮流動力学に応じて作動流体の運動を制御し、エネルギーの出力を最適化し、沖合機器の摩耗または損傷を最小限に抑える、特定用途向けの操作アルゴリズムをもたらすことができる。
【０１６６】
図８を参照すると、波運動からエネルギーを抽出し／波エネルギーを変換するための閉ループ流体圧装置１６０は、軸流流体圧ポンプ１６１を備えており、該ポンプ１６１は、チャンバ１６３を画定するポンプ本体１６２を備えている。ポンプ本体１６２は、側壁１６４を備えている。側壁１６４は、上壁１６５によって閉鎖された上端および底壁１６６によって閉鎖された下端を有している。底壁１６６は、ポンプ１６１が位置する水域の床に置かれているか、または固定されている（図示されない）基部に取り付けられるように構成されている。
【０１６７】
ピストン１６７は、チャンバ１６３を作用側１６８と止まり側１６９とに仕切るように、かつチャンバ１６３内において前後に移動することができるように、チャンバ１６３内に収容されている。ピストン１６７と側壁１６４との間の（図示されない）シールによって、流体がピストン１６７を超えて作用側１６８と止まり側１６９との間に流れるのが阻止されている。
【０１６８】
ピストンロッド１７０は、ピストン１６７と共に本体１６２に対して前後に移動することができるように、ピストン１６７からポンプ本体１６２の上壁１６５の開口を通って延在している。（図示されない）シールによって、流体が該開口を通ってチャンバ１６３から漏出するのが阻止されている。
【０１６９】
ポンプ１６１は、ポンプ１６１の止まり側１６９に接続された出口逆止弁１７１も備えている。逆止弁１７１は、流体が該弁を通ってポンプ１６１に向かって逆流するのを防ぐものである。
【０１７０】
図示されていないが、浮力アクチュエータが、縛り紐によってピストンロッド１７０の上端に接続されている。
【０１７１】
調整側または作用側流体圧アキュムレータ１７２が、ホース１７３によって、ポンプ１６１の作用側１６８に接続されている。アキュムレータ１７２は、出口逆止弁１７５によって出口流体圧アキュムレータ１７４に接続されている。出口逆止弁１７５は、流体が該弁を通ってポンプ１６１に向かって逆流するのを防ぐものである。制御可能な出口弁１７６が、出口アキュムレータ１７４を熱交換器１７７に接続している。熱交換器１７７は、逆止弁１７９によって中間流体圧アキュムレータ１７８に接続されている。逆止弁１７９は、流体が該弁を通って熱交換器１７７に向かって逆流するのを防ぐものである。制御可能な入口弁１８０が、入口逆止弁１８１に接続されている。入口逆止弁１８１は、ポンプ１６１の作用側１６８に接続されており、流体が該弁を通ってポンプ１６１から離れる方に流れるのを防ぐものである。入口流体圧アキュムレータ１８２が、逆止弁１８１によってポンプ１６１の作用側１６８に接続されている。タービン１８３および逆止弁１８４は、弁１７６、熱交換器１７７、アキュムレータ１７８、逆止弁１７９、および弁１８０に並列に接続されている。タービン１８３は、発電機１８５を駆動するものである。
【０１７２】
圧力逃し弁１８６が、弁１７６、熱交換器１７７、アキュムレータ１７８、および逆止弁１７９に並列に接続されている。圧力逃し弁１８６は、装置１６０の流体圧回路の高圧側の過剰加圧を防ぐように機能するものである。圧力逃し弁１８６は、制御可能な弁であるとよい。
【０１７３】
逆止弁１７１が、ホース１８８によって、排出側／止まり側流体圧アキュムレータ１８７に接続されており、補給電気ポンプ１８９にも接続されている。逆止弁１９０が、逆止弁１８１およびアキュムレータ１８２に並列に接続されている。逆止弁１９０は、流体が該弁を通ってポンプ１８９に向かって流れるのを防ぐものである。
【０１７４】
ポンプ１８９は、アキュムレータ１８７を備える流体圧回路の止まり側に溜まっている流体を該ポンプ１８９の出口に接続された流体圧回路の作用側に戻すことができるようになっている。
【０１７５】
図９を参照すると、発電機１８５は、電力を充電装置１９１に供給するようになっている。充電装置１９１は、外部バッテリ充電モジュール１９２に接続されている。充電装置１９１および／または外部バッテリ充電モジュール１９２は、バッテリ１９３およびバッテリ１９４を充填するものである。バッテリ１９４によって、電力が電気ポンプ１８９に供給されるようになっている。バッテリ１９３によって、電力が計測制御システム／制御装置１９５に供給されるようになっている。
【０１７６】
複数のセンサ１９６が、制御装置１９５の１つまたは複数の入力側に接続されている。センサ１９６の例として、装置１６０内の作動流体の圧力、温度、および流量を検出する圧力センサ、温度センサ、および流量センサを含む種々の形式のセンサが挙げられる。
【０１７７】
出口弁１７６、入口弁１８０、および補給電気ポンプ１８９は、制御装置１９５が出口弁１７６、入口弁１８０、およびポンプ１８９の操作を制御することができるように、制御装置１９５の出力側に接続されている。制御装置１９５は、センサ１９６の出力に応じて、出口弁１７６、入口弁１８０、およびポンプ１８９の操作を制御するようになっているとよい。換言すると、制御装置１９５は、センサ１９６によって検出された圧力、温度、および流量に応じて、出口弁１７６、入口弁１８０、およびポンプ１８９の操作を制御するようになっているとよい。
【０１７８】
圧力逃し弁１８６は、該弁１８６の操作が制御装置１９５によっても制御可能であるように、制御装置１９５の出口側にも接続可能になっているとよい。
【０１７９】
制御装置１９５は、装置１６０が該装置１６０の位置する水域の波運動から最適なまたはほぼ最適な量のエネルギーを抽出、変換、または伝達することができるように、出口弁１７６、入口弁１８０、ポンプ１８９、および／または圧力逃し弁１８６を制御するようになっているとよい。
【０１８０】
流体圧回路の吸入圧および吐出圧を変化させることによって、ピストンストロークのある程度の制御が可能になる。一定の波浪状態の期間における平均制御圧力（Ｈｓｉｇ＝０．４５ｍ、Ｔｓｉｇ＝３ｓ）／種々の吸入圧および吐出圧の範囲に対する（／対）装置１６０のような流体圧装置の平均ピストンストローク限界の範囲／ピストン排出量の範囲が、図１０に示されている。吸入圧力範囲の最大値が減少するにつれて、ピストン排出量の範囲の最小値が増大することが分かるだろう。他の波浪状態に対しても、同様のチャート／グラフを得ることができる。
【０１８１】
流体圧システム／装置１６０の構想は、ポンプ入口およびポンプ出口において適切な圧力を維持することができる閉ループシステム／装置１６０である。ポンプが作動すると、流体圧回路内に圧力および流れが生じる。流体圧回路の圧力は、２つの制御弁１７６，１８０によって制御されることになる。１つの制御弁（すなわち、出口弁１７６）は、ポンプ１６１外の圧力を制御し、他の制御弁（すなわち、入口弁１８０）は、ポンプ１６１内の圧力を制御するようになっている。これらの弁（出口弁１７６および入口弁１８０）は、システム／装置１６０内の２つの主要制御「レバー」である。制御弁１７６，１８０は、いずれも、種々の波浪形態に対して圧力を変更するために、遠隔制御されるようになっている。このシステム構成の場合、ペルトンタービンは、ポンプ１６１によって生じたエネルギーを消失させる手段としての２つの制御弁および熱交換器１７７に置き換えられている。止まり側１６９では、どのような流体伝達も行われない。ポンプ拡張中に、部分的な真空が生じる。ピストンシールを介する内部漏れが生じた場合、流体は、漏れ配管を通して排出されるようになっており、逆止弁１７１によって、流体がポンプ／ピストン１６７／ピストンロッド１７０の拡張中にポンプ１６１内に逆流するのが阻止されている。
【０１８２】
ロッド側／調整側／作用側の流体圧アキュムレータ１７２は、システム／装置１６０の最適化において鍵となる役割を果たすものである。アキュムレータ１７２のガス充填およびガス量を調整することによって、動力流および動力流の動力学を制御することが可能である。また、調整側／作用側の流体圧アキュムレータ１７２ならびに出口アキュムレータ１７４および入口アキュムレータ１８２の適切な調整によって、「ウオータハンマー」、すなわち、運動量移行効果と同様の動力学的効果を低減させることができることも、この閉ループシステム／装置１６０の特徴である。運動量移行効果は、逆止弁の１つまたは複数が跳ね返ることによって生じるものである。
【０１８３】
圧力逃し弁１８６は、システム／装置１６０の過剰加圧を防ぐものである。システム／装置１６０の構想は、流体圧エネルギーを貯蔵し、圧力変動を管理することを可能にするために、ポンプ１６１のロッド側／作用側１６８にアキュムレータ１７２，１７４，１７８，１８２を備えている。排出側／止まり側アキュムレータ１８７は、装置１６０の主要（すなわち、作用側）流体圧回路内に再加圧される前に、ポンプまたはシステムレベルにおける内部漏れから生じた作動流体を貯蔵するようになっている。逆止弁１７１，１７５，１７９，１８１，１８４が、流体圧回路を通る作動流体の流れが正確な方向に生じることを確実なものとする。また、システム／装置１６０を調整し、生じた動力を最適化するために、ポンプ出口逆止弁１７５の直前に、調整側／作用側流体圧アキュムレータ１７２が設けられている。
【０１８４】
装置１６０を通る流体の流れは、「穏やかな（soft）」流れと「激しい（hard）」流れとの間で変更可能になっている。ポンプ１６１への最小負荷に対応する「穏やかな流れ」の場合、圧力逃し弁１８６は、流体のかなりの部分が弁１８６を通って汲み出されるように、完全に開放されている。ポンプ１７１への最大負荷に対応する「激しい流れ」の場合、圧力逃し弁１８６および入口弁１８０は、完全に閉鎖され、出口弁１７６が完全に開放されるようになっている。
【０１８５】
小形バッテリによって作動されるポンプ（すなわち、補給電気ポンプ１８９）は、ポンプ１６１の作用側１６８からの内部ポンプ漏れによって失われた流体をポンプ１６１の止まり側１６９に戻すものである。
【０１８６】
図９に記載／図示されているように、全ての計器／センサ１９６、弁１７６，１８０、および戻り／補給電気ポンプ１８９は、局所的に取り付けられた制御システム／制御装置１９５と相互作用するようになっている。システム／装置１６０は、２つのバッテリ１９３，１９４を備えている。主バッテリ（すなわち、バッテリ１９３）は、計器／センサ１９６、弁１７６，１８０、および制御システム／制御装置１９５を備える計測制御システムに電力を供給するものである。第２のバッテリ１９４は、補給ポンプ１８９および補助機器に電力を供給するものである。
【０１８７】
図１１を参照すると、波運動からエネルギーを抽出し／波エネルギーを変換するための閉ループ流体圧装置２００は、軸流体圧ポンプ２０１を備えており、該ポンプ２０１は、チャンバ２０３を画定するポンプ本体２０２を備えている。ポンプ本体２０２は、側壁２０４を備えている。側壁２０４は、上壁２０５によって閉鎖された上端および底壁２０６によって閉鎖された下端を備えている。底壁２０６は、ポンプ２０１が位置する水域の床に置かれているかまたは固定されている（図示されない）基部に取り付けられるように構成されている。
【０１８８】
ピストン２０７が、チャンバ２０３を作用側２０８と止まり側２０９とに仕切るように、かつチャンバ２０３内において前後に移動することができるように、チャンバ２０３内に収容されている。ピストン２０７と側壁２０４との間の（図示されない）シールによって、流体がピストン２０７を超えて作用側２０８と止まり側２０９との間に流れるのが阻止されている。
【０１８９】
ピストンロッド２１０が、ピストン２０７と共に本体２０２に対して前後に移動することができるように、ピストン２０７からポンプ本体２０２の上壁２０５の開口を通って延在している。（図示されない）シールによって、流体が該開口を通ってチャンバ２０３から漏出するのが阻止されている。
【０１９０】
ポンプ２０１は、ポンプ２０１の止まり側２０９に接続された逆止弁２１１も備えている。
【０１９１】
図示されていないが、浮力アクチュエータが、縛り紐によってピストンロッド２１０の上端に接続されている。
【０１９２】
ロッド側／調整側／作用側の流体圧アキュムレータ２１２が、ホース２１３によってポンプ２０１の作用側２０８に接続されている。アキュムレータ２１２は、逆止弁２１５によって出口流体圧アキュムレータ２１４に接続されている。制御可能な出口弁２１６が、出口アキュムレータ２１４をタービンまたはペルトンホイール２１７に接続しており、これによって、弁２１６から流出する作動流体が、タービンまたはホイール２１７を回転させることができる。タービンまたはホイール２１７は、（図示されない）発電機に接続されていてもよく、これによって、タービンまたはホイール２１７の回転が、発電機を駆動し、電気を生成することができる。タービンまたはホイール２１７の出力側または出口は、タンクまたはリザーバ２１７に接続されており、これによって、タービンまたはホイール２１７から流出した低圧流体は、矢印２１８によって示されているようにリザーバ２１７内に流入することになる。リザーバ２１７は、ポンプ２１９、制御可能な入口弁２２０、逆止弁２２１、およびホース２１３によって、ポンプ２０１の作用側２０８に接続されている。ポンプ２１９は、流体をポンプ２０１に向かって汲み出すように操作可能である。中間流体圧アキュムレータ２２２が、ポンプ２１９および入口弁２２０と並列にポンプ２０１の作用側２０８に接続されている。入口流体圧アキュムレータ２２３が、逆止弁２２１と並列にポンプ２０１の作用側２０８に接続されている。圧力逃し弁２２４および圧力逃し弁２２５が、（ポンプ２０１の作用側に接続された）流体圧回路の高圧側と該流体圧回路の低圧側との間に接続されている。圧力逃し弁２２４および／または圧力逃し弁２２５は、制御可能であるとよい。
【０１９３】
逆止弁２１１は、ホース２２７によって排出／止まり側流体圧アキュムレータ２２６に接続されており、補給電気ポンプ２２８にも接続されている。逆止弁２２９が、ポンプ２２８をリザーバ２１７に接続している。ポンプ２２８は、アキュムレータ２２６を備える流体圧回路に溜まっている作動流体を（ポンプ２２８の出口に接続された流体圧回路の作用側にある）リザーバ２１７内に戻すことができる。
【０１９４】
破線２３０の左に位置する装置２００の構成要素の全てが、沖合の水域内に配置されており、破線２３０の右側に位置する装置２００の構成要素の全てが、陸上に配置されている。
【０１９５】
図１１に示されていないが、装置２００は、装置２００の種々の構成要素に電力を供給する手段も備えている。例えば、タービンまたはペルトンホイール２１７が発電機を駆動する場合、該発電機は、電力を充電装置に供給することができる。充電装置は、バッテリ充電モジュールと一緒に、装置２００の１つまたは複数のバッテリを充電し、これによって、装置２００の種々の動力要素に電力を供給するようになっている。
【０１９６】
各空気／ガス充填ライン２３１は、アキュムレータ２１２，２１４，２２２，２２３，２２６の各々を（図示されない）充電空気／ガスの１つまたは複数の陸上源（shore based sources）に接続している。
【０１９７】
装置１６０と同様に、装置２００は、（図示されない）計測制御システム／制御装置も備えているとよい。この制御装置には、装置２００のバッテリから電力が供給されるとよい。
【０１９８】
（図示されない）複数のセンサが、装置１６０の制御装置の１つまたは複数の入力側に接続されている。センサの例として、装置２００内の作動流体の圧力、温度、および流量を検出する圧力センサ、温度センサ、および流量センサを含む種々の形式のセンサが挙げられる。
【０１９９】
出口弁２１６、入口弁２２０、補給ポンプ２２８、圧力逃し弁２２４、および／または圧力逃し弁２２５は、制御装置によって制御されるようになっているとよい。制御装置は、制御装置の入力側に接続されたセンサの出力に応じて、出口弁２１６、入口弁２２０、補給ポンプ２２８、圧力逃し弁２２４、および／または圧力逃し弁２２５の操作を制御するようになっているとよい。換言すれば、制御装置は、種々のセンサによって検出された圧力、温度、および流量に応じて、出口弁２１６、入口弁２２０、補給ポンプ２２８、圧力逃し弁２２４、および／または圧力逃し弁２２５の操作を制御するようになっているとよい。
【０２００】
制御装置は、装置２００が該装置２００の位置する水域の波運動から最適な、または、ほぼ最適な量のエネルギーを抽出、変換、または伝達することができるように、出口弁２１６、入口弁２２０、補給ポンプ２２８、圧力逃し弁２２４、および／または圧力逃し弁２２５を制御するようになっているとよい。
【０２０１】
ポンプチャンバ２０３の作用側２０８への単一のライン／ホース／パイプが設けられており、調整側／作用側流体圧アキュムレータ２１２が、このラインに接続されている。排出側／止まり側流体圧アキュムレータ２２６および陸上に位置する電気補給ポンプ２２８は、ポンプ２０１の止まり側２０９から漏れた流体をポンプ２０１の作用側に接続された主流体圧回路の入口ラインに送るようになっている。圧力逃し弁２２４は、ポンプ２０１の近くのループの沖合端における主流体圧回路の出口ラインおよび入口ラインに接続されている。圧力逃し弁２２４は、主流体圧回路内の過剰圧力に対する安全機構をもたらすものである。（設けられていてもよいし、設けられていなくてもよく、もし設けられているなら、陸上に配置されているとよい）圧力逃し弁２２５は、沖合側圧力逃し弁２２４が故障した場合の予備弁をもたらすものである。
【０２０２】
作動流体の出口流／流出流は、タービン２１７を駆動し、タービン２１７の出口の使用済み／低圧流体は、再加圧のためにリザーバ／貯蔵タンク２１７に戻され、次いで、ポンプ２０１に戻される。矢印付きライン２３１は、陸上に向かっており、これは、制御ポイントを指している。種々のアキュムレータのライン２３１へのガス充填は、制御アルゴリズムに従って、陸上から変更されるとよい。
【０２０３】
出口制御弁２１６の機能は、ペルトンタービン／ホイール２１７用の（スピア弁とも呼ばれる）入口弁によって果たされてもよい。この場合、別の出口弁２１６を設ける必要がない。何故なら、該弁がペルトンタービン／ホイールアセンブリ２１７内に含まれているからである。
【０２０４】
図１２を参照すると、波運動からエネルギーを抽出し／波エネルギーを変換するための閉ループ流体圧装置２５０は、該装置２５０が８つの軸流流体圧ポンプ／波エネルギーコンバータ（ＷＥＣ）２０１のアレイを備えている以外は、装置２００と同様である。ポンプ２０１の各々は、ポンプ２０１の作用側２０８に接続された各調整側／作用側流体圧アキュムレータ２１２および逆止弁２１５，２２１を有している。装置２５０は、多重ＣＥＴＯＴＭ波エネルギーコンバータユニットを備える大規模システムをモデル化させたものである。
【０２０５】
逆止弁２１５の各々は、マニホールド２５１に接続されており、逆止弁２２１の各々は、マニホールド２５２に接続されている。マニホールド２５１は、出口流体圧アキュムレータ２１４に接続されており、マニホールド２５２は、入口流体圧アキュムレータ２２３に接続されている。
【０２０６】
各ポンプ２０１の止まり側は、１つまたは複数のホース２２７および逆止弁２１１を介して、１つまたは複数の排出側／止まり側流体圧アキュムレータ２２６に接続されているとよく、逆止弁２２９を介して装置２５０のリザーバ２１７に接続され得る補給電気ポンプ２２８にも接続されているとよい。
【０２０７】
星印の付いた各空気／ガス充填ライン２３１は、装置２５０のアキュムレータ２１２，２１４，２２２，２２３，２２６の各々を（図示されない）充電空気／ガスの１つまたは複数の陸上源に接続している。
【０２０８】
典型的には、装置２５０のポンプ２０１は、縦に３列を超えないアレイで配置されている。
【０２０９】
ポンプ２０１は、互いに同じであってもよいし、同じでなくてもよい。
【０２１０】
図１２に示されている形式の典型的なプラント／装置では、該装置は、沖合で互いに接続された８つのポンプ２０１からなる多重アレイから構成することができ、沖合の蓄積によって流れを陸上のタービン／ペルトンホイールに供給するようになっている。陸上の外部ポンプ２１９は、沖合ポンプ２０１のピストンを駆動するために、流れを該ポンプに還流するようになっているとよい。これは、一例として、図１２に概略的に示されている。代替的に、タービン／ペルトンホイール２１７における加圧流体は、ポンプ２０１のピストンを駆動するために、ポンプ２０１に供給されるようになっているとよい。
【０２１１】
ポンプＷＥＣ／ポイントＷＥＣを利用する操作可能なパワーステーションは、多数のユニットから構成されているとよい。ユニットの数は、パワーステーションの全動力出力要求によって決定されることになる。ポイントＷＥＣは、エネルギーの単一ポイント吸収体として挙動するＷＥＣとして理解されたい。
【０２１２】
以上は、波エネルギー装置を制御し、最適化するための種々のシステムについて述べたものである。波エネルギー装置は、流体動力を取り出す波エネルギーコンバータ（ＷＥＣ）、例えば、（ＷＥＣの特殊な形式である）ＣＥＴＯＴＭ波エネルギーコンバータを備えている。ＷＥＣは、閉ループモードで運転されるようになっている。閉ループは、高圧の装置出口ラインおよびかなり低圧の入口（戻り）流体ラインを備えている。閉ループ内を循環する流体は、実質的に水性である。この流体は、エネルギーを陸上に伝達するものである。流体は、圧力および流量を介して、エネルギーを移送することになる。加えて、陸上には、タービンまたは圧力交換用エンジンのような流体機械装置を介して作動流体からエネルギーを取り出す手段が設けられている。
【０２１３】
システムは、陸上および／または沖合に配置された制御要素を備えているとよい。制御要素は、出口ラインおよび陸上の入口ラインにおける圧力および流量を調整する弁を備えているとよい。加えて、制御要素は、入口ラインと出口ラインとの間に配置された沖合側圧力逃し弁を備えているとよい。また、制御要素は、沖合に配置された流体圧アキュムレータを備えているとよい。さらに、制御要素は、陸上に配置された流体圧アキュムレータであって、一方が出口ラインに接続されており、他方が入口ラインに接続されている、流体圧アキュムレータを備えているとよい。さらに、制御要素は、陸上において、入口ライント出口ラインとの間に配置された圧力逃し弁を備えているとよい。
【０２１４】
上記システムは、制御アルゴリズムを用いて、制御要素を制御するようになっているとよい。例えば、もし流体圧弁およびアキュムレータへのガス充電手段が、制御要素として設けられているなら、制御装置を用いて、それらを制御するようになっているとよい。
【０２１５】
制御アルゴリズムは、以下の機能の１つまたは複数を行うようになっているとよく、または以下の特性の１つまたは複数を有しているとよい。
【０２１６】
ａ．アキュムレータの容積変化（弁の開閉）によって、拘束ピストン端と非拘束ピストン端との間（これら端を含む）におけるＣＥＴＯＴＭＷＥＣの機械的剛性を調整すること。「拘束ピストン（piston-constrained）」は、作動流体が、調整アキュムレータによって許容される程度まで、流体圧回路の内側で移動が拘束されることによって、ピストンの運動が最小限に抑えられている状態を指しており、「非拘束ピストン（piston free）」は、入口回路と出口回路との間で流体が自在に流れ、ピストンがその自重および加えられる外力の影響によって自在に運動することができる状態を指している。
【０２１７】
ｂ．ＣＥＴＯＴＭ波エネルギーコンバータの場合、潮流によって生じるような水深の緩慢な変動に適応するように、ポンプのピストンの基準位置を調整すること。
【０２１８】
ｃ．近接波測定装置によるリアルタイム入力値に従って、ＷＥＣ装置の制御要素を調整すること。このような装置は、海面状態を定める瞬間的な波高（Ｈ）、瞬間的な波周期（Ｔ）、瞬間的な波拡散（θ）、および任意の他の関連パラメータを記録し、このデータをリアルタイムでアルゴリズムにもたらすようになっているとよい。
【０２１９】
ｄ．ｃ）において、動力Ｐが瞬間的な最大値になるように、設定値を調整すること。
【０２２０】
ｅ．ｃ）において、動力Ｐが瞬間的な最小値になるように、設定値を調整すること。もし保守または検査が行われている場合、このような条件が望ましい。
【０２２１】
ｆ．ｃ）において、Ｐが確率ｐｍで最小値Ｐｍを超えるように、設定値を調整すること。
【０２２２】
ｇ．事前設定テンプレートＦを適用し、時間間隔τにおいてＷＥＣによって送達される全動力を最大にするように、制御要素の値を規制すること。
【０２２３】
ｈ．時間間隔τは、観測上の基準時点（epoch）τεの秒から分、時間の範囲内における変数であるとよい。例えば、標準的な沖合の実行時間は、連続的な不規則海面状態の場合、２０分であり、激しい海面状態の場合、３時間である、
【０２２４】
ｉ．各基準時点τεは、アルゴリズムＡの設定操作点およびアルゴリズムＡによって行われる制御の範囲を定める特有テンプレートＦεに関連付けられている。
【０２２５】
ｊ．制御アルゴリズムＡは、ｉ）の一連のテンプレートＦεを含んでいるとよい。各テンプレートは、協働して、任意の観測時点における最短時間と最長時間との間の最適エネルギー出力Ｅｍａｘをもたらすことになる。すなわち、アルゴリズムＡは、常に、最大積分エネルギーＥｍａｘをもたらすように調整されるようになっている。
【数２】
2013510980.tif 000020
【０２２６】
ｋ．特定のアルゴリズムＡは、以下の条件の１つまたは複数に特有の成分を含むアルゴリズムの集合Ａｉから導かれるようになっているとよい。
ａ．特定の地理学的箇所；
ｂ．特定の水深および海底地形；
ｃ．特定類別の波活動、例えば、強力な波活動、沖合の波活動、穏やかな波活動、沿岸の波活動、またはこれらの組合せ；
ｄ．特定の季節、例えば、冬、夏；
ｅ．ＷＥＣの特定の構成；
ｆ．同時係属中のＣＥＴＯＴＭ波エネルギーコンバータ特許出願に記載されているようなエネルギー緩和機構を含むＷＥＣの特定の物理的構成；
ｇ．ＷＥＣの老朽化、状態、運転歴に対応するＷＥＣの特定の物理的状態；
ｈ．ＷＥＣの構成における任意の他の変更；
ｉ．年間の支配的な海面状態（例えば、西オーストラリアの湾岸から離れたガーデン島の現場は、６〜８つの支配的な海面状態を有している）；および
ｊ．特定の安全／緊急条件。
【０２２７】
ここでは、前述したような閉ループ系をなす、入口配管および出口配管の共通組に一緒に並列に接続されたＷＥＣのアレイを備えるシステムについても、述べられている。
【０２２８】
ＷＥＣのアレイを備えるシステムでは、アルゴリズムＡの最適化は、波拡散にも影響されるようになっている。アルゴリズムＡｉおよびテンプレートＦεは、単一ＷＥＣのものと実質的に異なっている。多重ユニットの場合、そのアルゴリズムが単一ユニットのアルゴリズムと大きく異なっている点は、ユニット間の流体圧的相互作用であることに留意されたい。
【０２２９】
また、前述したシステムの全てに記載されているシステムであって、アルゴリズムＡｉが最適フィルター手法によって生じるようになっている、システムも記載されている。
【０２３０】
単一ＣＥＴＯＴＭ波エネルギーコンバータユニットのような単一ポイント吸収体波エネルギーコンバータ（ＷＥＣ）の応答は、動力関数Ｐ（Ｈ，Ｔ，θ）を用いて、数学的に記述することができる。動力関数Ｐ（Ｈ，Ｔ，θ）は、瞬間的な動力が、原理的に、瞬間的な波高Ｈ、瞬間的な波周期Ｔ、および瞬間的な波拡散の角度の関数であることを表している。実際の海は、多数の波方向、風波、大波、場合によっては、他の成分を有することがある。
【０２３１】
関数Ｐは、瞬間的な動力を表している。
【０２３２】
応答関数Ｐの生成は、多くの方法、例えば、
ｉ．既知の周期Ｔおよび振幅Ｈの正弦波励起のパルス列によって単一ＷＥＣを励起し、得られた瞬間的動力Ｐを測定する方法、または
ｉｉ．ＷＥＣへの入力を、これらの変数の関数として動力出力を正確に記述する有限要素モデルおよび／または動的シミュレーションモデルによって、シミュレーションする方法、
によって、達成することができる。
【０２３３】
上記のプロセスは、一般的に「パワーマトリックス（power matrix）」と呼ばれる瞬間的な波周期および瞬間的な波高に対する瞬間的な動力の３次元的表面マップをもたらすことになる。パワーマトリックスは、海面状態および前述したように行われる制御を受けたシステムの機械的な応答を記述している。仮想正弦波擾乱の場合、関数Ｐを時間τにわたって積分することによって、所定値の波高および波周期によって時間τ内に送達される平均エネルギーが得られることになる。
【０２３４】
実際の水波の波高および波周期は、時間的かつ空間的な確率的（無作為）変動を生じている。これらの変動およびこれらの変動間の相関関係を特徴付けるために、時間的かつ空間的な分布関数が用いられる。得られた分布、例えば、ピアソン・モスコビッチスペクトルのような経験的モデルは、単位周波数間隔当たりの（波高）２（ｍ２／Ｈｚ）で表される波高スペクトル分布をもたらす。これらの分布関数が、所定の場所および所定の季節における典型的な波浪気候を記述し、予測することができる精度は、実データまたはモデル化データのデータ記録がいかに広範に該場所において入手可能であるかに依存している。現場における観察の記録またはモデル化の記録がより広範であるほど、データから導かれるモデルの予測動力における統計的信頼性のレベルが大きくなる。
【０２３５】
所定の場所および所定の季節におけるＷＥＣの動力出力に関する統計的な予測性能は、（パワーマトリックスによる）機械応答と波モードとの畳込み、すなわち、畳込み関数から得られる。時間τにわたる全予測エネルギー出力は、この畳込み関数の時間積分によって与えられることになる。
【０２３６】
もし畳込み関数がロバスト（robust）なものであるなら、すなわち、もし畳込み関数が高い統計的信頼性で動力出力を予測するのに用いることができるなら、この関数は、該関数を最適フィルターとして適用することによって、ＷＥＣ（すなわち、装置１６０，２００，２５０のような閉ループ流体圧装置）の応答を最適化するのに、用いることができる。最適フィルターは、所定の出力、この場合、ＷＥＣによって生じるエネルギーを最大にするために、システム特性およびシステムを駆動する擾乱、この場合、波のスペクトル特性に関する知識を用いている。
【０２３７】
最適フィルターを実装するプロセスは、制御アルゴリズムＡｉおよび前述したＦで表される制御アルゴリズムＡｉの関連する制御目標値および制御範囲をもたらすことになる。最適フィルター手法は、装置のエネルギー出力が時間間隔τにおいて最大化されるように、（前述したような）ＷＥＣの制御要素を変更する制御アルゴリズムをもたらすことになる。
【０２３８】
最適フィルターおよび派生するアルゴリズムを生成する手法は、単一波の現地の場合、以下の通りである。
【０２３９】
ｉ．前述した方法を用いて、波エネルギーコンバータに対するパワーマトリックスＰを決定する。このパワーマトリックスは、システムの状態変数の関数であると共に時間の関数でもある。状態変数は、吸込ループおよび戻りループにおける圧力および流量、およびシステム内の種々のアキュムレータのガス充填圧およびガス充填量を含んでいる。
【０２４０】
ｉｉ．ＷＥＣの物理的な設置場所に適用可能な海面状態に対して最もロバストなスペクトルモデルを決定する。前述の方法を用いる。ほぼ、任意の場所を所定数の支配的な海面状態によって記述することが可能である。
【０２４１】
ｉｉｉ．海面状態スペクトル密度をパワーマトリックスに畳み込む。波高および波周期の変数の間に自然の相関関係が存在することに注意されたい。得られた伝達関数は、ＷＥＣの状態変数および動的海洋のパラメータに対するユニットの動力生成に関連するものである。この関数が時間に対して積分され、所定の時間間隔におけるＷＥＣの平均エネルギー予測出力の推定値が得られる。このエネルギー推定値は、制御アルゴリズムが働いているＷＥＣの状態変数の関数であり、海洋擾乱のスペクトルを予期するのに用いられた海洋モデルのパラメータによって決定されたものである。
【０２４２】
ｉｖ．ベクトル解析の技術を適用するエネルギー関数（状態変数）の多パラメータ最適化を行い、ニュートン・ラフソン法のような標準的ルーチンを用いて、局所的極値および包括的極値を見出す。数値解析および多変数最適化の分野の当業者であれば、これらの技術およびこれらの技術が適用される数学的条件に精通しているだろう。
【０２４３】
ｖ．エネルギー関数Ｅｍａｘのベクトル空間内に操作点および安定操作領域を画定する。これによって、テンプレートＦを生成する。
【０２４４】
ｖｉ．制御システムの伝達関数を状態変数に適用し、制御アルゴリズムＡを生成する。  
【０２４５】
ｖｉｉ．制御アルゴリズムのシミュレーションを行い、アルゴリズムＡおよび目標値Ｆの精度および安定性を検証する。
【０２４６】
ｖｉｉｉ．要求されるアルゴリズムＡｉに代入するのに必要な種々の海面状態に対して、ｉｉ）以降のステップを繰り返す。もしこの集合が機械の状態の変更を含んでいるなら、ｉ）からステップを繰り返す。
【０２４７】
アルゴリズムされるプロセスおよび後続のＷＥＣへの応用における重要な特徴は、このプロセスおよびＷＥＣへの応用が発見的（heuristic）であること、すなわち、ＷＥＣの操作寿命にわたって学習する能力を有していることにある。所定の現地における波統計の初期のモデル推定値は、比較的不確実なものである可能性があるが、それらの予測の信頼性レベルは、ＷＥＣが運転され、かつ波浪気候のより詳細な統計的具現性が蓄積されるにつれて、経時的に改良されることになる。学習は、この情報をｉｉ）においてアルゴリズム生成プロセスにフィードバックすることによって、達成される。同様に、機器の老朽化に関する情報を運転寿命にわたって収集し、ｉ）においてアルゴリズム生成プロセスにフィードバックすることによって、パワーマトリックにも発見的な手法を導入し得る可能性がある。いずれも場合も、発見的な展開によって、より完全なアルゴリズムの集合ＡｉおよびテンプレートＦが得られ、これによって、波エネルギーコンバータの運転寿命中に直面するあらゆる条件下において、エネルギー出力を最適化することができる。
【０２４８】
前述の検討および手法は、波力発電場（wave farm）、すなわち、多重ＷＥＣのアレイにも同様に適用される。唯一の違いは、制御されるべき状態変数が多いことである。何故なら、プラントが極めて複雑である、かつ
ａ）パワーマトリックスに「拡散（spread）」と呼ばれる角度依存性が存在し、
ｂ）ＷＥＣアレイ内の個々のユニット間に相互作用効果が存在し、
ｃ）海面状態に対する到来角度の分布を波モデル化に含ませる必要がある、
からである。
【０２４９】
最適化に関する検討は、有益である。システムを最適化するために、
１．まず、パワーマトリックスを決定し、
２．パワーマトリックスおよび波モデルを用いて、システム伝達関数を作り、かつ最適化し、
３．物理的立地に対するロバストなスペクトルモデルを用いて、伝達関数を特定の現地に対して最適化する。ここで、制御アルゴリズムが適用されることになる。
【０２５０】
これと共に用いられる式は、
【数３】
2013510980.tif 000021
【０２５１】
装置のポンプを駆動する波は、不規則な入力コンディショナーである。これは、装置のポンプが不規則に駆動されることを意味している。従って、装置は、その出力を最大化するために、制御される必要がある。装置を制御するために、最適フィルターが用いられる。システム／装置のパラメータは、最適フィルターによって与えられるレシピ（recipe）に従って設定されることになる。最適フィルターは、通常、装置の場所、または季節、例えば、夏、冬、等によって異なっている、または変更されることになる。最適フィルターは、種々のパラメータを用いてシステム／装置を試験することによって、および／またはモデルを用いることによって、得られるとよい。最適フィルターに従って装置を制御することによって、装置の出力曲線に基づくエネルギーを最大化させることができる。
【０２５２】
当業者であれば、ここに述べた本発明の変更および修正は、本発明の精神および範囲から逸脱することなく、明瞭なものであることを理解されたい。当業者には明らかなこれらの修正および変更は、本明細書において述べた本発明の広い範囲および領域内に含まれることが意図されている。
【０２５３】
明細書および請求項を通して、もし文脈が他のことを要求していないなら、「備える（comprise）という用語あるいは「comprises」または「comprising」のような変形は、記述されている完全体または完全体の群を含むが、任意の他の完全体または完全体の群を排除するものではないことを理解されたい。
【０２５４】
明細書および請求項を通して、もし文脈が他のことを要求していないなら、「実質的（substantially）」または「約（about）」という用語は、この用語によって示された範囲の値に制限されるものではないことを理解されたい。
【０２５５】
もし先行技術文献がここに引用されているなら、該文献がオーストラリアまたは任意の他の国の技術分野における共通の一般知識の一部を形成することを認めるものではないことは、明瞭に理解されるだろう。
【手続補正２】
【補正対象書類名】特許請求の範囲
【補正対象項目名】全文
【補正方法】変更
【補正の内容】
【特許請求の範囲】
【請求項１】
波エネルギーを変換するための閉ループ流体圧装置において、流体を前記装置内に汲み出すためのポンプであって、チャンバを画定する本体および前記チャンバを作用側と止まり側とに仕切るピストンを備えている、ポンプと、前記ピストンに接続された浮力アクチュエータと、前記チャンバの前記作用側に接続された入口であって、前記流体が前記入口から前記チャンバの前記作用側内に流れることができるようになっている、入口と、前記チャンバの前記作用側に接続された出口であって、前記流体が前記チャンバの前記作用側から前記出口に流れることができるようになっている、出口と、潮流の変動および／または海面状態に応じて前記ポンプの出力を最適化するために、前記入口および前記出口における前記流体の圧力を制御することによって、前記ポンプを制御するように操作可能な流体圧制御装置と、を備えており、前記入口および前記出口における前記流体の圧力は、制御アルゴリズムに従って制御されるようになっており、前記制御アルゴリズムは、最適フィルター手法に従って生成されたアルゴリズムの集合から導かれるようになっており、  最適フィルターおよび前記制御アルゴリズムは、
（ｉ）パワーマトリックスを決定するステップと、
（ｉｉ）前記装置の物理的な設置場所に適用可能な海面状態に対する最もロバストなスペクトルモデルを決定するステップと、
（ｉｉｉ）海面状態スペクトル密度をパワーマトリックスに畳み込み、伝達関数を生成するステップと、
（ｉｖ）前記伝達関数を時間にわたって積分することによって得られたエネルギー関数の多パラメータ最適化を行うステップと、
（ｖ）前記エネルギー関数のベクトル空間内に操作点および安定操作領域を画定し、テンプレートを生成するステップと、
（ｖｉ）制御システムの伝達関数を前記装置の状態変数に適用し、前記制御アルゴリズムを生成するステップと、
（ｖｉｉ）前記制御アルゴリズムのシミュレーションを行い、前記アルゴリズムおよび目標値テンプレートの精度および安定性を検証するステップと、
（ｖｉｉｉ）要求される制御アルゴリズムの空間に代入するのに必要な種々の海面状態に対して、ステップ（ｉ）−（ｖｉｉ）を繰り返すステップと、
によって作成されるようになっている、ことを特徴とする閉ループ流体圧装置。
【請求項２】
前記流体圧制御装置は、入口流体圧アキュムレータと、前記入口および前記入口流体圧アキュムレータのそれぞれに接続された入口流体圧制御弁と、出口流体圧アキュムレータと、前記出口および前記出口流体圧アキュムレータのそれぞれに接続された出口流体圧制御弁と、前記入口および前記出口のそれぞれに接続されたシーケンス弁と、前記出口に接続された第１の出口圧力変換器と、前記出口に接続された流量計と、前記流量計に接続された比例スロットル弁と、前記比例スロットル弁に接続された第２の出口圧力変換器と、を備えている、ことを特徴とする請求項１に記載の閉ループ流体圧装置。
【請求項３】
前記流体圧制御装置は、前記チャンバの前記作用側に接続された作用側流体圧アキュムレータと、前記出口に接続された出口流体圧アキュムレータと、前記入口に接続された入口流体圧アキュムレータと、前記出口に接続された出口弁と、前記入口に接続された入口弁と、前記出口および前記入口弁のそれぞれに接続された圧力逃し弁と、前記入口弁に接続された中間流体圧アキュムレータと、制御システムと、複数のセンサと、を備えており、前記制御システムは、前記センサの出力に応じて、前記出口弁および前記入口弁を制御するように操作可能になっている、ことを特徴とする請求項１に記載の閉ループ流体圧装置。
【請求項４】
前記流体圧制御装置は、前記チャンバの前記作用側に接続された作用側流体圧アキュムレータと、前記出口に接続された出口流体圧アキュムレータと、前記入口に接続された入口流体圧アキュムレータと、前記出口および前記入口のそれぞれに接続された圧力逃し弁と、前記出口に接続された出口弁と、前記入口に接続された入口弁と、前記入口弁に接続された中間流体圧アキュムレータと、を備えている、ことを特徴とする請求項１に記載の閉ループ流体圧装置。
【請求項５】
前記流体圧制御装置は、前記出口および前記入口のそれぞれに接続された別の圧力逃し弁も備えている、ことを特徴とする請求項４に記載の閉ループ流体圧装置。
【請求項６】
前記流体圧制御装置は、制御システムと、複数のセンサと、を備えており、前記制御システムは、前記センサの出力に応じて、前記出口弁、前記入口弁、および前記圧力逃し弁を制御するように操作可能になっている、ことを特徴とする請求項４〜５のいずれか１つに記載の閉ループ流体圧装置。
【請求項７】
前記センサは、圧力センサ、温度センサ、および流量センサを含んでいる、ことを特徴とする請求項６に記載の閉ループ流体圧装置。
【請求項８】
前記作用側流体圧アキュムレータ、前記出口流体圧アキュムレータ、前記入口流体圧アキュムレータ、および前記中間流体圧アキュムレータのラインにおけるガス充填は、前記制御アルゴリズムに従って変更可能になっている、ことを特徴とする請求項４〜７のいずれか１つに記載の閉ループ流体圧装置。
【請求項９】
前記出口弁は、ペルトンホイール用のスピア弁である、ことを特徴とする請求項４〜８のいずれか１つに記載の閉ループ流体圧装置。
【請求項１０】
前記装置は、前記流体を前記装置内に汲み出すための複数のポンプと、前記ポンプの前記ピストンに接続された複数の浮力アクチュエータと、前記ポンプチャンバの前記作用側に接続された複数の入口と、前記ポンプチャンバの前記作用側に接続された複数の出口と、
をさらに備えており、前記流体圧制御装置は、前記ポンプチャンバの前記作用側に接続された複数の作用側流体圧アキュムレータを備えている、ことを特徴とする請求項４〜９のいずれか１つに記載の閉ループ流体圧装置。
【請求項１１】
前記ポンプは、縦に３列を超えないアレイに配置されている、ことを特徴とする請求項１０に記載の閉ループ流体圧装置。
【請求項１２】
前記ポンプは、同一ポンプである、ことを特徴とする請求項１０〜１１のいずれか１つに記載の閉ループ流体圧装置。
【請求項１３】
前記制御アルゴリズムは、最大積分エネルギーをもたらすように調整されるようになっている、ことを特徴とする請求項１〜１２のいずれか１つに記載の閉ループ流体圧装置。
【請求項１４】
ステップ（ｉ）は、もし制御アルゴリズムの集合または空間が、前記機械／装置の状態の変動を含んでいるなら、ステップ（ｖｉｉｉ）の一部として繰り返されるようになっている、ことを特徴とする請求項１〜１３のいずれか１つに記載の閉ループ流体圧装置。
【請求項１５】
前記制御アルゴリズムの生成は、学習的である、ことを特徴とする請求項１〜１４のいずれか１つに記載の閉ループ流体圧装置。
【請求項１６】
最適化は、
（ｉ）前記パワーマトリックスを決定し、
（ｉｉ）前記パワーマトリックスおよび波モデルを用いて、前記制御システム伝達関数を作り、かつ最適化し、
（ｉｉｉ）前記特定の物理的立地に対するロバストな物理的スペクトルモデルを用いて、前記伝達関数を前記物理的立地に対して最適化する、
ことによって達成されるようになっている、ことを特徴とする請求項１〜１５のいずれか１つに記載の閉ループ流体圧装置。
【請求項１７】
波エネルギーを変換するための閉ループ流体圧装置用の最適フィルターおよび制御アルゴリズムの集合を作成するための方法において、
（ｉ）パワーマトリックスを決定するステップと、
（ｉｉ）前記装置の物理的な設置場所に適用可能な海面状態に対して最もロバストなスペクトルモデルを決定するステップと、
（ｉｉｉ）海面状態スペクトル密度をパワーマトリックスに畳み込み、伝達関数を生成するステップと、
（ｉｖ）前記伝達関数を時間にわたって積分することによって得られたエネルギー関数の多パラメータ最適化を行うステップと、
（ｖ）前記エネルギー関数のベクトル空間内に操作点および安定操作領域を画定し、テンプレートを生成するステップと、
（ｖｉ）制御システムの伝達関数を前記装置の状態変数に適用し、前記制御アルゴリズムを生成するステップと、
（ｖｉｉ）前記制御アルゴリズムのシミュレーションを行い、前記アルゴリズムおよび目標値テンプレートの精度および安定性を検証するステップと、
（ｖｉｉｉ）要求される制御アルゴリズムの空間に代入するのに必要な種々の海面状態に対して、ステップ（ｉ）−（ｖｉｉ）を繰り返すステップと、
を含んでいる、ことを特徴とする方法。
【請求項１８】
ステップ（ｉ）は、もし制御アルゴリズムの集合または空間が、前記機械／装置の状態の変動を含んでいるなら、ステップ（ｖｉｉｉ）の一部として繰り返されるようになっている、ことを特徴とする請求項１７に記載の方法。
【請求項１９】
前記制御アルゴリズムの生成は、学習的である、ことを特徴とする請求項１７〜１８のいずれか１つに記載の方法。
【請求項２０】
最適化は、
（ｉ）前記パワーマトリックスを決定し、
（ｉｉ）前記パワーマトリックスおよび波モデルを用いて、前記システム伝達関数を作り、かつ最適化し、
（ｉｉｉ）前記特定の物理的立地に対するロバストな物理的スペクトルモデルを用いて、前記伝達関数を前記物理的立地に対して最適化する、
ことによって達成されるようになっている、ことを特徴とする請求項１７〜１９のいずれか１つに記載の方法。
【請求項２１】
波エネルギーを変換するための前記閉ループ流体圧装置は、請求項１〜１６のいずれか１つに記載の流体圧装置を含んでいる、ことを特徴とする請求項１７〜２０のいずれか１つに記載の方法。
【請求項２２】
波エネルギーを変換するための閉ループ流体圧装置であって、図面に描かれている流体圧装置の好ましい実施形態のいずれか１つを参照して実質的に本明細書に記載されている、閉ループ流体圧装置。
【請求項２３】
波エネルギーを変換するための閉ループ流体圧装置に用いられる最適フィルターおよび制御アルゴリズムの集合を作成するための方法であって、図面に描かれている流体圧装置の好ましい実施形態のいずれか１つを参照して実質的に本明細書に記載されている方法。
【手続補正３】
【補正対象書類名】図面
【補正対象項目名】図４
【補正方法】変更
【補正の内容】
【図４】
2013510980.tif 000022
【手続補正４】
【補正対象書類名】図面
【補正対象項目名】図７
【補正方法】変更
【補正の内容】
【図７】
2013510980.tif 000023
【手続補正５】
【補正対象書類名】図面
【補正対象項目名】図８
【補正方法】変更
【補正の内容】
【図８】
2013510980.tif 000024
【手続補正６】
【補正対象書類名】図面
【補正対象項目名】図９
【補正方法】変更
【補正の内容】
【図９】
2013510980.tif 000025
【手続補正７】
【補正対象書類名】図面
【補正対象項目名】図１１
【補正方法】変更
【補正の内容】
【図１１】
2013510980.tif 000026
【手続補正８】
【補正対象書類名】図面
【補正対象項目名】図１２
【補正方法】変更
【補正の内容】
【図１２】
2013510980.tif 000027
【国際調査報告】
2013510980.tif 000028
2013510980.tif 000029
2013510980.tif 000030
2013510980.tif 000031